(57)【特許請求の範囲】
【請求項１】
(a1)ワイヤレス通信の方法であって、
(a2)サブフレームにわたるか、
サブフレーム内のスロットの間か、または
各リソースブロック内の異なるシンボルおよびトーンにわたるかのうちの少なくとも１つにおいて、チャンネル状態情報基準信号（ＣＳＩ−ＲＳ）のリソースを、基地局によって無線フレーム内でスタガリングすることと、
(a3)ユーザ機器（ＵＥ）に前記無線フレームを前記基地局によって送信することと、
(a4)前記ＵＥからのチャンネル状態報告を前記基地局によって受信することと、
(a4-1)ここにおいて、前記チャンネル状態報告が、前記スタガリングされたＣＳＩ−ＲＳのリソースに基づく、を備え、
(a4-2)ここにおいて、干渉報告が、無認可スペクトル干渉のないＣＳＩ−ＲＳのリソースと無認可スペクトル干渉を経験するＣＳＩ−ＲＳのリソースとに基づき、ここにおいて、無認可スペクトル干渉に関する情報は経時的に蓄積される、
(a4-3)ここにおいて、前記干渉報告は、前記無認可スペクトル干渉のないＣＳＩ−ＲＳのリソースに対する干渉のないＣＱＩと、前記無認可スペクトル干渉を経験するＣＳＩ−ＲＳのリソースに対する干渉ＣＱＩとを提供する別々の報告を含む、方法。
【請求項２】
前記受信されたチャンネル状態報告に基づいて前記ＵＥによる使用のための１つまたは複数のリソースを決定することをさらに含む、請求項１に記載の方法。
【請求項３】
リソーススタガリングパターンと、
ＩＭＲリソース構成とのうちの少なくとも１つを他の基地局に前記基地局によって示すことをさらに含む、請求項１に記載の方法。
【請求項４】
サブフレームにわたるか、
サブフレーム内のスロットの間か、または
各リソースブロック内の異なるシンボルおよびトーンにわたるかのうちの少なくとも１つにおいて、チャンネル状態情報基準信号（ＣＳＩ−ＲＳ）のリソースを、基地局によって無線フレーム内でスタガリングするための手段と、
ユーザ機器（ＵＥ）に前記無線フレームを前記基地局によって送信するための手段と、
前記ＵＥからのチャンネル状態報告を前記基地局によって受信するための手段と、ここにおいて、前記チャンネル状態報告が、前記スタガリングされたＣＳＩ−ＲＳのリソースに基づく、を備え、
ここにおいて、干渉報告が、無認可スペクトル干渉のないＣＳＩ−ＲＳのリソースと無認可スペクトル干渉を経験するＣＳＩ−ＲＳのリソースとに基づき、ここにおいて、無認可スペクトル干渉に関する情報は経時的に蓄積される、
ここにおいて、前記干渉報告は、前記無認可スペクトル干渉のないＣＳＩ−ＲＳのリソースに対する干渉のないＣＱＩと、前記無認可スペクトル干渉を経験するＣＳＩ−ＲＳのリソースに対する干渉ＣＱＩとを提供する別々の報告を含む、ワイヤレス通信装置。
【請求項５】
前記受信されたチャンネル状態報告に基づいて前記ＵＥによる使用のための１つまたは複数のリソースを決定するための手段をさらに含む、請求項４に記載の装置。
【請求項６】
リソーススタガリングパターンと、
ＩＭＲリソース構成とのうちの少なくとも１つを他の基地局に前記基地局によって示すための手段をさらに含む、請求項４に記載の装置。
【請求項７】
請求項１〜３のいずれか一項に係る方法を行うように実行可能である命令を備える、コンピュータ可読記憶媒体。
【請求項８】
ワイヤレス通信の方法であって、
基地局からの無線フレームをユーザ機器（ＵＥ）によって受信することと、ここにおいて、前記無線フレームが、
サブフレームにわたるか、
サブフレーム内のスロットの間か、または
異なるリソースブロックに対するスロットにわたる複数のシンボルの中の少なくとも１つにおいてスタガリングされたチャンネル状態情報基準信号（ＣＳＩ−ＲＳ）のリソースを有する、
前記スタガリングされたＣＳＩ−ＲＳのリソースに基づいてチャンネル推定および/または干渉推定を前記ＵＥによって実行することと、
チャンネル推定および/または干渉推定に基づいてチャンネル状態報告を前記ＵＥによって生成することと、を備え、
ここにおいて、干渉報告が、無認可スペクトル干渉のないＣＳＩ−ＲＳのリソースと無認可スペクトル干渉を経験するＣＳＩ−ＲＳのリソースとに基づき、ここにおいて、無認可スペクトル干渉に関する情報は経時的に蓄積される、
ここにおいて、前記干渉報告は、前記無認可スペクトル干渉のないＣＳＩ−ＲＳのリソースに対する干渉のないＣＱＩと、前記無認可スペクトル干渉を経験するＣＳＩ−ＲＳのリソースに対する干渉ＣＱＩとを提供する別々の報告を含む、方法。
【請求項９】
前記基地局に前記チャンネル状態報告を前記ＵＥによって送信することをさらに含む、請求項８に記載の方法。
【請求項１０】
ワイヤレス通信装置であって、
基地局からの無線フレームをユーザ機器（ＵＥ）によって受信するための手段と、ここにおいて、前記無線フレームが、
サブフレームにわたるか、
サブフレーム内のスロットの間か、または
異なるリソースブロックに対するスロットにわたる複数のシンボルの中の少なくとも１つにおいてスタガリングされたチャンネル状態情報基準信号（ＣＳＩ−ＲＳ）のリソースを有する、
前記スタガリングされたＣＳＩ−ＲＳのリソースに基づいてチャンネル推定および/または干渉推定を前記ＵＥによって実行するための手段と、
前記基地局によって送信された無線フレーム内のチャンネル状態情報基準信号（ＣＳＩ−ＲＳ）のリソースに基づいて１つまたは複数の干渉報告を前記ＵＥによって生成するための手段と、を備え、
前記１つまたは複数の干渉報告が、無認可スペクトル干渉のないＣＳＩ−ＲＳのリソースと無認可スペクトル干渉を経験するＣＳＩ−ＲＳのリソースとに基づき、ここにおいて、無認可スペクトル干渉に関する情報は経時的に蓄積される、
ここにおいて、前記１つまたは複数の干渉報告は、前記無認可スペクトル干渉のないＣＳＩ−ＲＳのリソースに対する干渉のないＣＱＩと、前記無認可スペクトル干渉を経験するＣＳＩ−ＲＳのリソースに対する干渉ＣＱＩとを提供する別々の報告を含む、ワイヤレス通信装置。
【請求項１１】
前記基地局に前記１つまたは複数の干渉報告を前記ＵＥによって送信するための手段をさらに含む、請求項１０に記載の装置。
【請求項１２】
請求項８〜９のいずれか一項に係る方法を行うように実行可能である命令を備える、コンピュータ可読記憶媒体。
【発明の詳細な説明】
【技術分野】
【０００１】
関連出願の相互参照
[0001]本出願は、その全体が参照により本明細書に明確に組み込まれる、２０１３年８月２３日に出願された「ＣＳＩ  ＡＮＤ  ＡＣＫ  ＲＥＰＯＲＴＩＮＧ  ＥＮＨＡＮＣＥＭＥＮＴＳ  ＩＮ  ＬＴＥ−Ｕ」と題する米国仮特許出願第６１／８６９，５３２号、および２０１４年８月２０日に出願された「ＣＳＩ  ＡＮＤ  ＡＣＫ  ＲＥＰＯＲＴＩＮＧ  ＥＮＨＡＮＣＥＭＥＮＴＳ  ＩＮ  ＬＴＥ／ＬＴＥ−Ａ  ＷＩＴＨ  ＵＮＬＩＣＥＮＳＥＤ  ＳＰＥＣＴＲＵＭ」と題する米国実用特許出願第１４／４６４，４０９号の利益を主張する。
【０００２】
[0002]本開示の態様は、一般に、ワイヤレス通信システムに関し、より詳細には、無認可スペクトルを用いるロングタームエボリューション（ＬＴＥ：long term evolution）／ＬＴＥアドバンスト（ＬＴＥ−Ａ：LTE（登録商標）-Advanced）におけるチャンネル状態情報（ＣＳＩ）および肯定応答（ＡＣＫ）報告強化に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのようなネットワークは、通常、多元接続ネットワークであり、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標））によってサポートされる第３世代（３Ｇ）モバイルフォン技術である、ユニバーサルモバイルテレコミュニケーションシステム（ＵＭＴＳ：Universal Mobile Telecommunications System）の一部として定義される無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータと制御情報とを送信すること、および／またはＵＥからアップリンク上でデータと制御情報とを受信することができる。ダウンリンク上では、基地局からの送信は、隣接基地局からの送信、または他のワイヤレス無線周波数（ＲＦ）送信機からの送信による干渉に遭遇することがある。アップリンク上では、ＵＥからの送信は、隣接基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
[0007]一態様では、ワイヤレス通信の方法は、基地局からの送信をユーザ機器（ＵＥ）によって受信することを含む。方法は、基地局から受信された送信の間に無認可スペクトル干渉が存在するかどうかをＵＥによって決定することをさらに含む。方法はまた、送信を復号することをＵＥによって試みることを含む。方法は、送信を復号することを試みた結果に関する情報と無認可スペクトル干渉に関する情報とを含む応答をＵＥによって生成することをさらに含む。方法は、基地局に応答をＵＥによって送ることをさらに含む。
【０００８】
[0008]一態様では、ワイヤレス通信装置は、基地局からの送信をユーザ機器（ＵＥ）によって受信するための手段を含む。装置は、基地局から受信された送信の間に無認可スペクトル干渉が存在するかどうかをＵＥによって決定するための手段をさらに含む。装置はまた、送信を復号することをＵＥによって試みるための手段を含む。装置は、送信を復号することを試みた結果に関する情報と無認可スペクトル干渉に関する情報とを含む応答をＵＥによって生成するための手段をさらに含む。装置は、基地局に応答をＵＥによって送るための手段をさらに含む。
【０００９】
[0009]一態様では、非一時的コンピュータ可読媒体はその上に記録されたプログラムコードを有する。プログラムコードは、基地局からの送信をユーザ機器（ＵＥ）によって受信することを、１つまたは複数のコンピュータに行わせるためのコードを含む。プログラムコードは、基地局から受信された送信の間に無認可スペクトル干渉が存在するかどうかをＵＥによって決定することを、１つまたは複数のコンピュータに行わせるためのコードをさらに含む。プログラムコードはまた、送信を復号することをＵＥによって試みることを、１つまたは複数のコンピュータに行わせるためのコードを含む。プログラムコードは、送信を復号することを試みた結果に関する情報と無認可スペクトル干渉に関する情報とを含む応答をＵＥによって生成することを、１つまたは複数のコンピュータに行わせるためのコードをさらに含む。プログラムコードは、基地局に応答をＵＥによって送ることを、１つまたは複数のコンピュータに行わせるためのコードをさらに含む。
【００１０】
[0010]一態様では、ユーザ機器（ＵＥ）は、少なくとも１つのプロセッサと、少なくとも１つのプロセッサに結合されたメモリとを含む。少なくとも１つのプロセッサは、基地局からの送信をＵＥによって受信するように構成される。少なくとも１つのプロセッサは、基地局から受信された送信の間に無認可スペクトル干渉が存在するかどうかをＵＥによって決定するようにさらに構成される。少なくとも１つのプロセッサはまた、送信を復号することをＵＥによって試みるように構成される。少なくとも１つのプロセッサは、送信を復号することを試みた結果に関する情報と無認可スペクトル干渉に関する情報とを含む応答をＵＥによって生成するようにさらに構成される。少なくとも１つのプロセッサは、基地局に応答をＵＥによって送るようにさらに構成される。
【００１１】
[0011]一態様では、ワイヤレス通信の方法は、経時的にユーザ機器（ＵＥ）からの応答を基地局によって受信することを含み、応答は、基地局によってＵＥに送られた送信の肯定応答（ＡＣＫ）または否定応答（ＮＡＫ）のうちの少なくとも一方を含み、応答は、送信中にＵＥによって経験された無認可スペクトル干渉に関する情報を含む。方法は、ＵＥによって経験された無認可スペクトル干渉に関する情報を基地局によって経時的に蓄積することをさらに含む。方法はまた、経時的にＵＥによって経験された無認可スペクトル干渉の重大度を、経時的に蓄積された情報に基づいて基地局によって決定することを含む。方法は、経時的にＵＥによって経験された無認可スペクトル干渉の重大度に基づいて基地局によって補正動作を取ることをさらに含む。
【００１２】
[0012]一態様では、ワイヤレス通信装置は、経時的にユーザ機器（ＵＥ）からの応答を基地局によって受信するための手段を含み、応答は、基地局によってＵＥに送られた送信の肯定応答（ＡＣＫ）または否定応答（ＮＡＫ）のうちの少なくとも一方を含み、応答は、送信中にＵＥによって経験された無認可スペクトル干渉に関する情報を含む。装置は、ＵＥによって経験された無認可スペクトル干渉に関する情報を基地局によって経時的に蓄積するための手段をさらに含む。装置はまた、経時的にＵＥによって経験された無認可スペクトル干渉の重大度を、経時的に蓄積された情報に基づいて基地局によって決定するための手段を含む。装置は、経時的にＵＥによって経験された無認可スペクトル干渉の重大度に基づいて基地局によって補正動作を取るための手段をさらに含む。
【００１３】
[0013]一態様では、非一時的コンピュータ可読媒体はその上に記録されたプログラムコードを有する。プログラムコードは、経時的にユーザ機器（ＵＥ）からの応答を基地局によって受信することを、１つまたは複数のコンピュータに行わせるためのコードを含み、応答は、基地局によってＵＥに送られた送信の肯定応答（ＡＣＫ）または否定応答（ＮＡＫ）のうちの少なくとも一方を含み、応答は、送信中にＵＥによって経験された無認可スペクトル干渉に関する情報を含む。プログラムコードは、ＵＥによって経験された無認可スペクトル干渉に関する情報を、基地局によって経時的に蓄積することを、１つまたは複数のコンピュータに行わせるためのコードをさらに含む。プログラムコードはまた、経時的にＵＥによって経験された無認可スペクトル干渉の重大度を、経時的に蓄積された情報に基づいて基地局によって決定することを、１つまたは複数のコンピュータに行わせるためのコードを含む。プログラムコードは、経時的にＵＥによって経験された無認可スペクトル干渉の重大度に基づいて基地局によって補正動作を取ることを、１つまたは複数のコンピュータに行わせるためのコードをさらに含む。
【００１４】
[0014]一態様では、基地局は、少なくとも１つのプロセッサと、少なくとも１つのプロセッサに結合されたメモリとを含む。少なくとも１つのプロセッサは、経時的にユーザ機器（ＵＥ）からの応答を基地局によって受信するように構成され、応答は、基地局によってＵＥに送られた送信の肯定応答（ＡＣＫ）または否定応答（ＮＡＫ）のうちの少なくとも一方を含み、応答は、送信中にＵＥによって経験された無認可スペクトル干渉に関する情報を含む。少なくとも１つのプロセッサは、ＵＥによって経験された無認可スペクトル干渉に関する情報を基地局によって経時的に蓄積するようにさらに構成される。少なくとも１つのプロセッサはまた、経時的にＵＥによって経験された無認可スペクトル干渉の重大度を、経時的に蓄積された情報に基づいて基地局によって決定するように構成される。少なくとも１つのプロセッサは、経時的にＵＥによって経験された無認可スペクトル干渉の重大度に基づいて基地局によって補正動作を取るようにさらに構成される。
【００１５】
[0015]一態様では、ワイヤレス通信の方法は、基地局からのチャンネル状態条件報告要求をユーザ機器（ＵＥ）によって受信することを含む。方法は、無認可スペクトル干渉が存在するかどうかをＵＥによって決定することをさらに含む。方法はまた、ＵＥによって経験された無認可スペクトル干渉に関する情報を含む報告をＵＥによって生成することを含む。本方法は、基地局に報告をＵＥによって送ることをさらに含む。
【００１６】
[0016]一態様では、ワイヤレス通信装置は、基地局からのチャンネル状態条件報告要求をユーザ機器（ＵＥ）によって受信するための手段を含む。装置は、無認可スペクトル干渉が存在するかどうかをＵＥによって決定するための手段をさらに含む。装置はまた、ＵＥによって経験された無認可スペクトル干渉に関する情報を含む報告をＵＥによって生成するための手段を含む。装置は、基地局に応答をＵＥによって送るための手段をさらに含む。
【００１７】
[0017]一態様では、非一時的コンピュータ可読媒体はその上に記録されたプログラムコードを有する。プログラムコードは、基地局からのチャンネル状態条件報告要求をユーザ機器（ＵＥ）によって受信することを、１つまたは複数のコンピュータに行わせるためのコードを含む。プログラムコードは、無認可スペクトル干渉が存在するかどうかをＵＥによって決定することを、１つまたは複数のコンピュータに行わせるためのコードをさらに含む。プログラムコードはまた、ＵＥによって経験された無認可スペクトル干渉に関する情報を含む報告をＵＥによって生成することを、１つまたは複数のコンピュータに行わせるためのコードを含む。プログラムコードは、基地局に報告をＵＥによって送ることを、１つまたは複数のコンピュータに行わせるためのコードをさらに含む。
【００１８】
[0018]一態様では、ユーザ機器（ＵＥ）は、少なくとも１つのプロセッサと、少なくとも１つのプロセッサに結合されたメモリとを含む。少なくとも１つのプロセッサは、基地局からのチャンネル状態条件報告要求をＵＥによって受信するように構成される。少なくとも１つのプロセッサは、無認可スペクトル干渉が存在するかどうかをＵＥによって決定するようにさらに構成される。少なくとも１つのプロセッサはまた、ＵＥによって経験された無認可スペクトル干渉に関する情報を含む報告をＵＥによって生成するように構成される。少なくとも１つのプロセッサは、基地局に報告をＵＥによって送るようにさらに構成される。
【００１９】
[0019]一態様では、ワイヤレス通信の方法は、ユーザ機器（ＵＥ）にチャンネル状態条件報告要求を基地局によって送信することを含む。方法は、ＵＥからのチャンネル状態条件報告を基地局によって受信することをさらに含み、チャンネル状態条件報告は、ＵＥによって経験された無認可スペクトル干渉に関する情報を含む。方法はまた、ＵＥによって経験された無認可スペクトル干渉の重大度を、ＵＥによって経験された無認可スペクトル干渉に関する情報に基づいて基地局によって決定することを含む。方法は、ＵＥによって経験された無認可スペクトル干渉の重大度に基づいて基地局によって補正動作を取ることをさらに含む。
【００２０】
[0020]一態様では、ワイヤレス通信装置は、ユーザ機器（ＵＥ）にチャンネル状態条件報告要求を基地局によって送信するための手段を含む。装置は、ＵＥからのチャンネル状態条件報告を基地局によって受信するための手段をさらに含み、チャンネル状態条件報告は、ＵＥによって経験された無認可スペクトル干渉に関する情報を含む。装置はまた、ＵＥによって経験された無認可スペクトル干渉の重大度を、ＵＥによって経験された無認可スペクトル干渉に関する情報に基づいて基地局によって決定するための手段を含む。装置は、ＵＥによって経験された無認可スペクトル干渉の重大度に基づいて基地局によって補正動作を取るための手段をさらに含む。
【００２１】
[0021]一態様では、非一時的コンピュータ可読媒体はその上に記録されたプログラムコードを有する。プログラムコードは、ユーザ機器（ＵＥ）にチャンネル状態条件報告要求を基地局によって送信することを、１つまたは複数のコンピュータに行わせるためのコードを含む。プログラムコードは、ＵＥからのチャンネル状態条件報告を基地局によって受信することを、１つまたは複数のコンピュータに行わせるためのコードをさらに含み、チャンネル状態条件報告は、ＵＥによって経験された無認可スペクトル干渉に関する情報を含む。プログラムコードはまた、ＵＥによって経験された無認可スペクトル干渉の重大度を、ＵＥによって経験された無認可スペクトル干渉に関する情報に基づいて基地局によって決定することを、１つまたは複数のコンピュータに行わせるためのコードを含む。プログラムコードは、ＵＥによって経験された無認可スペクトル干渉の重大度に基づいて基地局によって補正動作を取ることを、１つまたは複数のコンピュータに行わせるためのコードをさらに含む。
【００２２】
[0022]一態様では、基地局は、少なくとも１つのプロセッサと、少なくとも１つのプロセッサに結合されたメモリとを含む。少なくとも１つのプロセッサは、ユーザ機器（ＵＥ）にチャンネル状態条件報告要求を基地局によって送信するように構成される。少なくとも１つのプロセッサは、ＵＥからのチャンネル状態条件報告を基地局によって受信するようにさらに構成され、チャンネル状態条件報告は、ＵＥによって経験された無認可スペクトル干渉に関する情報を含む。少なくとも１つのプロセッサはまた、ＵＥによって経験された無認可スペクトル干渉の重大度を、ＵＥによって経験された無認可スペクトル干渉に関する情報に基づいて基地局によって決定するように構成される。少なくとも１つのプロセッサは、ＵＥによって経験された無認可スペクトル干渉の重大度に基づいて基地局によって補正動作を取るようにさらに構成される。
【００２３】
[0023]一態様では、ワイヤレス通信の方法は、サブフレームにわたるかまたはサブフレーム内のスロットの間の少なくとも一方において、チャンネル状態情報基準信号（ＣＳＩ−ＲＳ）のリソースまたは干渉測定リソース（ＩＭＲ）のリソースの少なくとも一方を、基地局によって無線フレーム内でスタガリングすることを含む。方法は、ユーザ機器（ＵＥ）に無線フレームを基地局によって送信することをさらに含む。
【００２４】
[0024]一態様では、ワイヤレス通信装置は、サブフレームにわたるかまたはサブフレーム内のスロットの間の少なくとも一方において、チャンネル状態情報基準信号（ＣＳＩ−ＲＳ）のリソースまたは干渉測定リソース（ＩＭＲ）のリソースの少なくとも一方を、基地局によって無線フレーム内でスタガリングするための手段を含む。装置は、ユーザ機器（ＵＥ）に無線フレームを基地局によって送信するための手段をさらに含む。
【００２５】
[0025]一態様では、非一時的コンピュータ可読媒体はその上に記録されたプログラムコードを有する。プログラムコードは、サブフレームにわたるかまたはサブフレーム内のスロットの間の少なくとも一方において、チャンネル状態情報基準信号（ＣＳＩ−ＲＳ）のリソースまたは干渉測定リソース（ＩＭＲ）のリソースの少なくとも一方を、基地局によって無線フレーム内でスタガリングすることを、１つまたは複数のコンピュータに行わせるためのコードを含む。プログラムコードはまた、ユーザ機器（ＵＥ）に無線フレームを基地局によって送信することを、１つまたは複数のコンピュータに行わせるためのコードを含む。
【００２６】
[0026]一態様では、基地局は、少なくとも１つのプロセッサと、少なくとも１つのプロセッサに結合されたメモリとを含む。少なくとも１つのプロセッサは、サブフレームにわたるかまたはサブフレーム内のスロットの間の少なくとも一方において、チャンネル状態情報基準信号（ＣＳＩ−ＲＳ）のリソースまたは干渉測定リソース（ＩＭＲ）のリソースの少なくとも一方を、基地局によって無線フレーム内でスタガリングするように構成される。少なくとも１つのプロセッサは、ユーザ機器（ＵＥ）に無線フレームを基地局によって送信するようにさらに構成される。
【００２７】
[0027]一態様では、ワイヤレス通信の方法は、基地局からの無線フレームをユーザ機器（ＵＥ）によって受信することを含み、無線フレームは、サブフレームにわたるかまたはサブフレーム内のスロットの間の少なくとも一方においてスタガリングされたチャンネル状態情報基準信号（ＣＳＩ−ＲＳ）または干渉測定リソース（ＩＭＲ）のリソースの少なくとも一方を有する。方法は、スタガリングされたＣＳＩ−ＲＳまたはＩＭＲのリソースの少なくとも一方に基づいてチャンネル推定または干渉推定の少なくとも一方をＵＥによって実行することをさらに含む。
【００２８】
[0028]一態様では、ワイヤレス通信装置は、基地局からの無線フレームをユーザ機器（ＵＥ）によって受信するための手段を含み、無線フレームは、サブフレームにわたるかまたはサブフレーム内のスロットの間の少なくとも一方においてスタガリングされたチャンネル状態情報基準信号（ＣＳＩ−ＲＳ）または干渉測定リソース（ＩＭＲ）のリソースの少なくとも一方を有する。装置は、スタガリングされたＣＳＩ−ＲＳまたはＩＭＲのリソースの少なくとも一方に基づいてチャンネル推定または干渉推定の少なくとも一方をＵＥによって実行するための手段をさらに含む。
【００２９】
[0029]一態様では、非一時的コンピュータ可読媒体はその上に記録されたプログラムコードを有する。プログラムコードは、基地局からの無線フレームをユーザ機器（ＵＥ）によって受信することを、１つまたは複数のコンピュータに行わせるためのコードを含み、無線フレームは、サブフレームにわたるかまたはサブフレーム内のスロットの間の少なくとも一方においてスタガリングされたチャンネル状態情報基準信号（ＣＳＩ−ＲＳ）または干渉測定リソース（ＩＭＲ）のリソースの少なくとも一方を有する。プログラムコードは、スタガリングされたＣＳＩ−ＲＳまたはＩＭＲのリソースの少なくとも一方に基づいてチャンネル推定または干渉推定の少なくとも一方をＵＥによって実行することを、１つまたは複数のコンピュータに行わせるためのコードをさらに含む。
【００３０】
[0030]一態様では、ユーザ機器（ＵＥ）は、少なくとも１つのプロセッサと、少なくとも１つのプロセッサに結合されたメモリとを含む。少なくとも１つのプロセッサは、基地局からの無線フレームをユーザ機器（ＵＥ）によって受信するように構成され、無線フレームは、サブフレームにわたるかまたはサブフレーム内のスロットの間の少なくとも一方においてスタガリングされたチャンネル状態情報基準信号（ＣＳＩ−ＲＳ）または干渉測定リソース（ＩＭＲ）のリソースの少なくとも一方を有する。少なくとも１つのプロセッサは、スタガリングされたＣＳＩ−ＲＳまたはＩＭＲのリソースの少なくとも一方に基づいてチャンネル推定または干渉推定の少なくとも一方をＵＥによって実行するようにさらに構成される。
【００３１】
[0031]一態様では、ワイヤレス通信の方法は、基地局によって送信された無線フレーム内のチャンネル状態情報基準信号（ＣＳＩ−ＲＳ）のリソースに基づいて１つまたは複数の干渉報告をユーザ機器（ＵＥ）によって生成することを含み、１つまたは複数の干渉報告は、無認可スペクトル干渉のないＣＳＩ−ＲＳのリソースと無認可スペクトル干渉を経験するＣＳＩ−ＲＳのリソースとに基づく。本方法は、基地局に１つまたは複数の干渉報告をＵＥによって送信することをさらに含む。
【００３２】
[0032]一態様では、ワイヤレス通信装置は、基地局によって送信された無線フレーム内のチャンネル状態情報基準信号（ＣＳＩ−ＲＳ）のリソースに基づいて１つまたは複数の干渉報告をユーザ機器（ＵＥ）によって生成するための手段を含み、１つまたは複数の干渉報告は、無認可スペクトル干渉のないＣＳＩ−ＲＳのリソースと無認可スペクトル干渉を経験するＣＳＩ−ＲＳのリソースとに基づく。本装置は、基地局に１つまたは複数の干渉報告をＵＥによって送信するための手段をさらに含む。
【００３３】
[0033]一態様では、非一時的コンピュータ可読媒体はその上に記録されたプログラムコードを有する。プログラムコードは、基地局によって送信された無線フレーム内のチャンネル状態情報基準信号（ＣＳＩ−ＲＳ）のリソースに基づいて１つまたは複数の干渉報告をユーザ機器（ＵＥ）によって生成することを、１つまたは複数のコンピュータに行わせるためのコードを含み、１つまたは複数の干渉報告は、無認可スペクトル干渉のないＣＳＩ−ＲＳのリソースと無認可スペクトル干渉を経験するＣＳＩ−ＲＳのリソースとに基づく。プログラムコードは、基地局に１つまたは複数の干渉報告をＵＥによって送信することを、１つまたは複数のコンピュータに行わせるためのコードをさらに含む。
【００３４】
[0034]一態様では、ユーザ機器（ＵＥ）は少なくとも１つのプロセッサを含み、メモリが少なくとも１つのプロセッサに結合された。少なくとも１つのプロセッサは、基地局によって送信された無線フレーム内のチャンネル状態情報基準信号（ＣＳＩ−ＲＳ）のリソースに基づいて１つまたは複数の干渉報告をＵＥによって生成するように構成され、１つまたは複数の干渉報告は、無認可スペクトル干渉のないＣＳＩ−ＲＳのリソースと無認可スペクトル干渉を経験するＣＳＩ−ＲＳのリソースとに基づく。少なくとも１つのプロセッサは、基地局に１つまたは複数の干渉報告をＵＥによって送信するようにさらに構成される。
【００３５】
[0035]一態様では、ワイヤレス通信の方法は、ユーザ機器からの１つまたは複数の干渉報告を基地局によって受信することを含み、１つまたは複数の干渉報告は、基地局によって送信された無線フレーム内のチャンネル状態情報基準信号（ＣＳＩ−ＲＳ）のリソースに基づき、１つまたは複数の干渉報告は、無認可スペクトル干渉のないＣＳＩ−ＲＳのリソースと無認可スペクトル干渉を経験するＣＳＩ−ＲＳのリソースとに基づく。本方法は、干渉レベルを決定するために、１つまたは複数の干渉報告を基地局によって使用することをさらに含む。方法はまた、決定された干渉レベルに基づいてＵＥにリソースを基地局によって割り振ることを含む。
【００３６】
[0036]一態様では、ワイヤレス通信装置は、ユーザ機器からの１つまたは複数の干渉報告を基地局によって受信するための手段を含み、１つまたは複数の干渉報告は、基地局によって送信された無線フレーム内のチャンネル状態情報基準信号（ＣＳＩ−ＲＳ）のリソースに基づき、１つまたは複数の干渉報告は、無認可スペクトル干渉のないＣＳＩ−ＲＳのリソースと無認可スペクトル干渉を経験するＣＳＩ−ＲＳのリソースとに基づく。本装置は、干渉レベルを決定するために、１つまたは複数の干渉報告を基地局によって使用するための手段をさらに含む。装置はまた、決定された干渉レベルに基づいてＵＥにリソースを基地局によって割り振るための手段を含む。
【００３７】
[0037]一態様では、非一時的コンピュータ可読媒体はその上に記録されたプログラムコードを有する。プログラムコードは、ユーザ機器からの１つまたは複数の干渉報告を基地局によって受信することに対して、１つまたは複数のコンピュータを生じさせるためのコードを含み、１つまたは複数の干渉報告は、基地局によって送信された無線フレーム内のチャンネル状態情報基準信号（ＣＳＩ−ＲＳ）のリソースに基づき、１つまたは複数の干渉報告は、無認可スペクトル干渉のないＣＳＩ−ＲＳのリソースと無認可スペクトル干渉を経験するＣＳＩ−ＲＳのリソースとに基づく。プログラムコードは、干渉レベルを決定するために、１つまたは複数の干渉報告を基地局によって使用することに対して、１つまたは複数のコンピュータを生じさせるためのコードをさらに含む。プログラムコードはまた、決定された干渉レベルに基づいてＵＥにリソースを基地局によって割り振ることに対して、１つまたは複数のコンピュータを生じさせるためのコードを含む。
【００３８】
[0038]一態様では、基地局は少なくとも１つのプロセッサを含み、メモリが少なくとも１つのプロセッサに結合される。少なくとも１つのプロセッサは、ユーザ機器からの１つまたは複数の干渉報告を基地局によって受信するように構成され、１つまたは複数の干渉報告は、基地局によって送信された無線フレーム内のチャンネル状態情報基準信号（ＣＳＩ−ＲＳ）のリソースに基づき、１つまたは複数の干渉報告は、無認可スペクトル干渉のないＣＳＩ−ＲＳのリソースと無認可スペクトル干渉を経験するＣＳＩ−ＲＳのリソースとに基づく。少なくとも１つのプロセッサは、干渉レベルを決定するために、１つまたは複数の干渉報告を基地局によって使用するようにさらに構成される。少なくとも１つのプロセッサはまた、決定された干渉レベルに基づいてＵＥにリソースを基地局によって割り振るように構成される。
【００３９】
[0039]一態様では、ワイヤレス通信の方法は、ＵＥによって経験された無認可スペクトル干渉の重大度をユーザ機器（ＵＥ）によって決定することを含む。方法は、ＵＥを現在のチャンネルまたは帯域の一方から異なるチャンネルまたは帯域の一方に切り替えることの要求を含むチャンネル状態情報報告をＵＥによって生成することをさらに含む。本方法はまた、基地局にＣＳＩ報告をＵＥによって送信することを含む。
【００４０】
[0040]一態様では、ワイヤレス通信装置は、ＵＥによって経験された無認可スペクトル干渉の重大度をユーザ機器（ＵＥ）によって決定するための手段を含む。装置は、ＵＥを現在のチャンネルまたは帯域の一方から異なるチャンネルまたは帯域の一方に切り替えることの要求を含むチャンネル状態情報報告をＵＥによって生成するための手段をさらに含む。装置はまた、基地局にＣＳＩ報告をＵＥによって送信するための手段を含む。
【００４１】
[0041]一態様では、非一時的コンピュータ可読媒体はその上に記録されたプログラムコードを有する。プログラムコードは、ＵＥによって経験された無認可スペクトル干渉の重大度をユーザ機器（ＵＥ）によって決定することを、１つまたは複数のコンピュータに行わせるためのコードを含む。プログラムコードは、ＵＥを現在のチャンネルまたは帯域の一方から異なるチャンネルまたは帯域の一方に切り替えることの要求を含むチャンネル状態情報報告をＵＥによって生成することを、１つまたは複数のコンピュータに行わせるためのコードをさらに含む。プログラムコードはまた、基地局にＣＳＩ報告をＵＥによって送信することを、１つまたは複数のコンピュータに行わせるためのコードを含む。
【００４２】
[0042]一態様では、ユーザ機器（ＵＥ）は、少なくとも１つのプロセッサと、少なくとも１つのプロセッサに結合されたメモリとを含む。少なくとも１つのプロセッサは、ＵＥによって経験された無認可スペクトル干渉の重大度をＵＥによって決定するように構成される。少なくとも１つのプロセッサは、ＵＥを現在のチャンネルまたは帯域の一方から異なるチャンネルまたは帯域の一方に切り替えることの要求を含むチャンネル状態情報報告をＵＥによって生成するようにさらに構成される。少なくとも１つのプロセッサはまた、基地局にＣＳＩ報告をＵＥによって送信するように構成される。
【００４３】
[0043]一態様では、ワイヤレス通信の方法は、現在のチャンネルまたは帯域の一方を介してユーザ機器（ＵＥ）とのワイヤレス通信を基地局によって実行することを含む。方法は、ＵＥからのチャンネル状態情報報告を基地局によって受信することをさらに含み、チャンネル状態情報報告は、ＵＥを現在のチャンネルまたは帯域の一方から異なるチャンネルまたは帯域の一方に切り替えることの要求を含む。方法はまた、ＵＥが異なるチャンネルまたは帯域の一方に切り替わるためのコマンドを基地局によって送信することを含む。
【００４４】
[0044]一態様では、ワイヤレス通信装置は、現在のチャンネルまたは帯域の一方を介してユーザ機器（ＵＥ）とのワイヤレス通信を基地局によって実行するための手段を含む。装置は、ＵＥからのチャンネル状態情報報告を基地局によって受信するための手段をさらに含み、チャンネル状態情報報告は、ＵＥを現在のチャンネルまたは帯域の一方から異なるチャンネルまたは帯域の一方に切り替えることの要求を含む。装置はまた、ＵＥが異なるチャンネルまたは帯域の一方に切り替わるためのコマンドを基地局によって送信するための手段を含む。
【００４５】
[0045]一態様では、非一時的コンピュータ可読媒体はその上に記録されたプログラムコードを有する。プログラムコードは、現在のチャンネルまたは帯域の一方を介してユーザ機器（ＵＥ）とのワイヤレス通信を基地局によって実行することを、１つまたは複数のコンピュータに行わせるためのコードを含む。プログラムコードは、ＵＥからのチャンネル状態情報報告を基地局によって受信することを、１つまたは複数のコンピュータに行わせるためのコードをさらに含み、チャンネル状態情報報告は、ＵＥを現在のチャンネルまたは帯域の一方から異なるチャンネルまたは帯域の一方に切り替えることの要求を含む。プログラムコードはまた、ＵＥが異なるチャンネルまたは帯域の一方に切り替わるためのコマンドを基地局によって送信することを、１つまたは複数のコンピュータに行わせるためのコードを含む。
【００４６】
[0046]一態様では、基地局は、少なくとも１つのプロセッサと、少なくとも１つのプロセッサに結合されたメモリとを含む。少なくとも１つのプロセッサは、現在のチャンネルまたは帯域の一方を介してユーザ機器（ＵＥ）とのワイヤレス通信を基地局によって実行するように構成される。少なくとも１つのプロセッサは、ＵＥからのチャンネル状態情報報告を基地局によって受信するようにさらに構成され、チャンネル状態情報報告は、ＵＥを現在のチャンネルまたは帯域の一方から異なるチャンネルまたは帯域の一方に切り替えることの要求を含む。少なくとも１つのプロセッサはまた、ＵＥが異なるチャンネルまたは帯域の一方に切り替わるためのコマンドを基地局によって送信するように構成される。
【００４７】
[0047]一態様では、ワイヤレス通信の方法は、第１の帯域上で基地局とのワイヤレス通信をユーザ機器（ＵＥ）によって実行することを含む。方法は、第２の帯域上で基地局に肯定応答（ＡＣＫ）またはチャンネル状態情報（ＣＳＩ）報告の少なくとも一方をＵＥによって送信することをさらに含む。
【００４８】
[0048]一態様では、ワイヤレス通信装置は、第１の帯域上で基地局とのワイヤレス通信をユーザ機器（ＵＥ）によって実行するための手段を含む。装置は、第２の帯域上で基地局に肯定応答（ＡＣＫ）またはチャンネル状態情報（ＣＳＩ）報告の少なくとも一方をＵＥによって送信するための手段をさらに含む。
【００４９】
[0049]一態様では、非一時的コンピュータ可読媒体はその上に記録されたプログラムコードを有する。プログラムコードは、第１の帯域上で基地局とのワイヤレス通信をユーザ機器（ＵＥ）によって実行することを、１つまたは複数のコンピュータに行わせるためのコードを含む。プログラムコードは、第２の帯域上で基地局に肯定応答（ＡＣＫ）またはチャンネル状態情報（ＣＳＩ）報告の少なくとも一方をＵＥによって送信することを、１つまたは複数のコンピュータに行わせるためのコードをさらに含む。
【００５０】
[0050]一態様では、ユーザ機器（ＵＥ）は、少なくとも１つのプロセッサと、少なくとも１つのプロセッサに結合されたメモリとを含む。少なくとも１つのプロセッサは、第１の帯域上で基地局とのワイヤレス通信をＵＥによって実行するように構成される。少なくとも１つのプロセッサは、第２の帯域上で基地局に肯定応答（ＡＣＫ）またはチャンネル状態情報（ＣＳＩ）報告の少なくとも一方をＵＥによって送信するようにさらに構成される。
【００５１】
[0051]一態様では、ワイヤレス通信の方法は、第１の帯域上でユーザ機器（ＵＥ）とのワイヤレス通信を基地局によって実行することを含む。方法は、第２の帯域上でＵＥから肯定応答（ＡＣＫ）またはチャンネル状態情報（ＣＳＩ）報告の少なくとも一方を基地局によって受信することをさらに含む。方法はまた、第２の帯域上でＵＥから受信されたＡＣＫまたはＣＳＩ報告の少なくとも一方に基づいて第１の帯域上でＵＥとの通信を調整することを含む。
【００５２】
[0052]一態様では、ワイヤレス通信装置は、第１の帯域上でユーザ機器（ＵＥ）とのワイヤレス通信を基地局によって実行するための手段を含む。装置は、第２の帯域上でＵＥから肯定応答（ＡＣＫ）またはチャンネル状態情報（ＣＳＩ）報告の少なくとも一方を基地局によって受信するための手段をさらに含む。装置はまた、第２の帯域上でＵＥから受信されたＡＣＫまたはＣＳＩ報告の少なくとも一方に基づいて第１の帯域上でＵＥとの通信を調整するための手段を含む。
【００５３】
[0053]一態様では、非一時的コンピュータ可読媒体はその上に記録されたプログラムコードを有する。プログラムコードは、第１の帯域上でユーザ機器（ＵＥ）とのワイヤレス通信を基地局によって実行することを、１つまたは複数のコンピュータに行わせるためのコードを含む。プログラムコードは、第２の帯域上でＵＥからの肯定応答（ＡＣＫ）またはチャンネル状態情報（ＣＳＩ）報告の少なくとも一方を基地局によって受信することを、１つまたは複数のコンピュータに行わせるためのコードをさらに含む。プログラムコードはまた、第２の帯域上でＵＥから受信されたＡＣＫまたはＣＳＩ報告の少なくとも一方に基づいて第１の帯域上でＵＥとの通信を調整することを、１つまたは複数のコンピュータに行わせるためのコードを含む。
【００５４】
[0054]一態様では、基地局は、少なくとも１つのプロセッサと、少なくとも１つのプロセッサに結合されたメモリとを含む。少なくとも１つのプロセッサは、第１の帯域上でユーザ機器（ＵＥ）とのワイヤレス通信を基地局によって実行するように構成される。少なくとも１つのプロセッサは、第２の帯域上でＵＥから肯定応答（ＡＣＫ）またはチャンネル状態情報（ＣＳＩ）報告の少なくとも一方を基地局によって受信するようにさらに構成される。少なくとも１つのプロセッサはまた、第２の帯域上でＵＥから受信されたＡＣＫまたはＣＳＩ報告の少なくとも一方に基づいて第１の帯域上でＵＥとの通信を調整するように構成される。
【図面の簡単な説明】
【００５５】
【図１】[0055]様々な実施形態による、ワイヤレス通信システムの一例を示す図。
【図２Ａ】[0056]様々な実施形態による、無認可スペクトルの中でＬＴＥを使用するための展開シナリオの例を示す図。
【図２Ｂ】[0057]様々な実施形態による、無認可スペクトルの中でＬＴＥを使用するための展開シナリオの別の例を示す図。
【図３】[0058]様々な実施形態による、認可スペクトルおよび無認可スペクトルの中でＬＴＥを同時に使用するときのキャリアアグリゲーションの一例を示す図。
【図４】[0059]本開示の一態様に従って構成された基地局／ｅＮＢおよびＵＥの設計を概念的に示すブロック図。
【図５Ａ】[0060]本開示の一態様による、ＡＣＫ／ＮＡＫ報告強化の第１の例を示す図。
【図５Ｂ】[0061]本開示の一態様による、ＡＣＫ／ＮＡＫ報告強化の第２の例を示す図。
【図５Ｃ】[0062]本開示の一態様による、ＡＣＫ／ＮＡＫ報告強化の第３の例を示す図。
【図５Ｄ】[0063]本開示の一態様による、ＡＣＫ／ＮＡＫ報告強化の第４の例を示す図。
【図５Ｅ】[0064]本開示の一態様による、ＡＣＫ／ＮＡＫ報告強化の第５の例を示す図。
【図５Ｆ】[0065]本開示の一態様による報告強化の別の例を示す図。
【図６】[0066]本開示の一態様による、強化されたＡＣＫ／ＮＡＫ報告プロセス中にユーザ機器によって実行される例示的なブロックを示す図。
【図７】[0067]本開示の一態様による、強化されたＡＣＫ／ＮＡＫ報告プロセス中に基地局によって実行される例示的なブロックを示す図。
【図８】[0068]本開示の一態様による、チャンネル状態条件報告プロセス中に基地局によって実行される例示的なブロックを示す図。
【図９】[0069]本開示の一態様による、チャンネル状態条件報告プロセス中にユーザ機器によって実行される例示的なブロックを示す図。
【図１０】[0070]本開示の一態様による、無線フレームのサブフレームにわたっておよびサブフレームのスロットの間でスタガリングされるＣＳＩ−ＲＳおよびＩＭＲのリソースを示す図。
【図１１】[0071]本開示の一態様による、ＣＳＩ−ＲＳおよびＩＭＲのリソーススタガリングプロセス中に基地局によって実行される例示的なブロックを示す図。
【図１２】[0072]本開示の一態様による、ＣＳＩ−ＲＳおよびＩＭＲのリソーススタガリングプロセス中にユーザ機器によって実行される例示的なブロックを示す図。
【図１３】[0073]本開示の一態様による、干渉報告プロセス中にユーザ機器によって実行される例示的なブロックを示す図。
【図１４】[0074]本開示の一態様による、干渉報告プロセス中に基地局によって実行される例示的なブロックを示す図。
【図１５】[0075]本開示の一態様による、チャンネルまたは帯域切り替え要求処理プロセス中にユーザ機器によって実行される例示的なブロックを示す図。
【図１６】[0076]本開示の一態様による、チャンネルまたは帯域切り替え要求処理プロセス中に基地局によって実行される例示的なブロックを示す図。
【図１７】[0077]本開示の一態様による、ＲＡＴ間チャンネル状態情報報告プロセスを遂行する基地局とユーザ機器とを示す図。
【図１８】[0078]本開示の一態様による、ＲＡＴ間チャンネル状態情報報告プロセス中にユーザ機器によって実行される例示的なブロックを示す図。
【図１９】[0079]本開示の一態様による、ＲＡＴ間チャンネル状態情報報告プロセス中に基地局によって実行される例示的なブロックを示す図。
【発明を実施するための形態】
【００５６】
[0080]添付の図面に関して以下に記載する発明を実施するための形態は、様々な構成を説明するものであり、本開示の範囲を限定するものではない。むしろ、発明を実施するための形態は、本発明の主題の完全な理解を与えるための具体的な詳細を含む。これらの具体的な詳細は、あらゆる場合において必要とされるとは限らないこと、および場合によっては、よく知られている構造および構成要素は、提示を明確にするためにブロック図の形式で示されることが、当業者には明らかであろう。
【００５７】
[0081]オペレータは、セルラーネットワークにおいて常に増大する混雑のレベルを緩和するために無認可スペクトルを使用するための主なメカニズムとして、これまではＷＩＦＩに注目してきた。しかしながら、無認可スペクトルにおけるＬＴＥ（無認可スペクトルを用いるＬＴＥ／ＬＴＥ−Ａ）に基づく新しいキャリアタイプ（ＮＣＴ）が、無認可スペクトルを用いるＬＴＥ／ＬＴＥ−ＡをＷＩＦＩの代替物にするキャリアグレードＷＩＦＩと互換性がある場合がある。無認可スペクトルを用いるＬＴＥ／ＬＴＥ−Ａは、ＬＴＥの概念を活用し得、無認可スペクトルにおける効率のよい運用をもたらすとともに規制上の要件を満たすために、ネットワークまたはネットワークデバイスの物理レイヤ（ＰＨＹ）およびメディアアクセス制御（ＭＡＣ）の態様にいくつかの修正を加え得る。無認可スペクトルは、たとえば、６００メガヘルツ（ＭＨｚ）から６ギガヘルツ（ＧＨｚ）までわたり得る。いくつかのシナリオでは、無認可スペクトルを用いるＬＴＥ／ＬＴＥ−ＡはＷＩＦＩよりも著しく良好に働き得る。たとえば、（単一または複数のオペレータに対する）無認可スペクトルを用いる展開による全ＬＴＥ／ＬＴＥ−Ａが全ＷＩＦＩ展開と比較され、または小セル展開が密にあるとき、無認可スペクトルを用いるＬＴＥ／ＬＴＥ−Ａは、ＷＩＦＩよりも著しく良好に働き得る。無認可スペクトルを用いるＬＴＥ／ＬＴＥ−Ａが（単一または複数のオペレータに対して）ＷＩＦＩと混合される場合などの他のシナリオでは、無認可スペクトルを用いるＬＴＥ／ＬＴＥ−Ａは、ＷＩＦＩよりも良好に働き得る。
【００５８】
[0082]単一のサービスプロバイダ（ＳＰ）にとって、無認可スペクトル上のＬＴＥ／ＬＴＥ−Ａネットワークは、認可スペクトル上のＬＴＥネットワークと同期するように構成され得る。しかしながら、複数のＳＰによって所与のチャンネル上で展開される無認可スペクトルを用いるＬＴＥ／ＬＴＥ−Ａネットワークは、複数のＳＰにわたって同期するように構成され得る。上記の特徴の両方を組み入れるための１つの手法は、所与の１つのＳＰに対して無認可スペクトルを用いるＬＴＥ／ＬＴＥ−Ａと用いないＬＴＥ／ＬＴＥ−Ａとの間で一定のタイミングオフセットを使用することを伴う場合がある。無認可スペクトルを用いるＬＴＥ／ＬＴＥ−Ａネットワークは、ＳＰの必要性に従って、ユニキャストおよび／またはマルチキャストのサービスを提供し得る。その上、無認可スペクトルを用いるＬＴＥ／ＬＴＥ−Ａネットワークは、ＬＴＥセルがアンカーとして振る舞うとともに、関連するセル情報（たとえば、無線フレームタイミング、共通チャンネルの構成、システムフレーム番号すなわちＳＦＮなど）を提供する、ブートストラップモードで動作し得る。このモードでは、無認可スペクトルを用いるＬＴＥ／ＬＴＥ−Ａと用いないＬＴＥ／ＬＴＥ−Ａとの間に、緊密な相互作用が存在し得る。たとえば、ブートストラップモードは、上記で説明された補助ダウンリンクモードとキャリアアグリゲーションモードとをサポートし得る。無認可スペクトルを用いるＬＴＥ／ＬＴＥ−ＡネットワークのＰＨＹ−ＭＡＣレイヤは、無認可スペクトルを用いるＬＴＥ／ＬＴＥ−ＡネットワークがＬＴＥネットワークから独立に動作するスタンドアロンモードで動作し得る。この場合、たとえば、コロケートされたセル、または複数のセルおよび／または基地局にわたるマルチフローによるＲＬＣレベルのアグリゲーションに基づいて、無認可スペクトルを用いるＬＴＥ／ＬＴＥ−Ａと用いないＬＴＥ／ＬＴＥ−Ａとの間に、ゆるい相互作用が存在し得る。
【００５９】
[0083]本明細書で説明する技法は、ＬＴＥに限定されず、ＣＤＭＡ、ＴＤＭＡ、ＦＤＭＡ、ＯＦＤＭＡ、ＳＣ−ＦＤＭＡ、および他のシステムなどの様々なワイヤレス通信システムにも使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５およびＩＳ−８５６の規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）という名称の組織からの文書で説明されている。ＣＤＭＡ２０００およびＵＭＢは、「第３世代パートナーシッププロジェクト２」（３ＧＰＰ２：3rd Generation Partnership Project 2）という名称の組織からの文書で説明されている。本明細書で説明する技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外に適用可能である。
【００６０】
[0084]したがって、以下の説明は例を与えるものであり、特許請求の範囲に記載の範囲、適用性、または構成の限定ではない。本開示の趣旨および範囲から逸脱することなく、説明する要素の機能および構成において変更が行われ得る。様々な実施形態は、適宜に様々な手順または構成要素を省略、置換、または追加し得る。たとえば、説明される方法は、説明される順序とは異なる順序で実施されてよく、様々なステップが追加、省略、または組み合わされてよい。また、いくつかの実施形態に関して説明する特徴は、他の実施形態において組み合わせられ得る。
【００６１】
[0085]最初に図１を参照すると、図はワイヤレス通信システムまたはネットワーク１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介して制御情報および／またはユーザデータをコアネットワーク１３０と通信し得る。実施形態では、基地局１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られる場合があり、制御情報（たとえば、基準信号、制御チャンネルなど）、オーバーヘッド情報、データなどを搬送することができる。
【００６２】
[0086]基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタ（図示せず）に分割され得る。システム１００は、異なるタイプの基地局１０５（たとえば、マクロ基地局、マイクロ基地局、および／またはピコ基地局）を含み得る。様々な技術のための重複カバレージエリアが存在する場合がある。
【００６３】
[0087]いくつかの実施形態では、システム１００は、１つまたは複数の無認可スペクトルモードの動作または展開シナリオをサポートするＬＴＥ／ＬＴＥ−Ａネットワークである。他の実施形態では、システム１００は、無認可スペクトルおよびＬＴＥ／ＬＴＥ−Ａと異なるアクセス技術、または認可スペクトルおよびＬＴＥ／ＬＴＥ−Ａと異なるアクセス技術を使用するワイヤレス通信をサポートし得る。発展型ノードＢ（ｅＮＢ）およびユーザ機器（ＵＥ）という用語は、一般に、それぞれ、基地局１０５とデバイス１１５とを記述するために使用され得る。システム１００は、異なるタイプのｅＮＢが様々な地理的領域にカバレージを提供する、無認可スペクトルを用いるかまたは用いない異種ＬＴＥ／ＬＴＥ−Ａネットワークであり得る。たとえば、各ｅＮＢ１０５は、マクロセル、ピコセル、フェムトセル、および／または他のタイプのセルに通信カバレージを提供し得る。ピコセル、フェムトセル、および／または他のタイプのセルなどのスモールセルは、低電力ノードすなわちＬＰＮを含み得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００６４】
[0088]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を介して）、直接的または間接的に、互いに通信し得る。システム１００は同期動作または非同期動作をサポートし得る。同期動作の場合、ｅＮＢは同様のフレームタイミングおよび／またはゲーティングタイミングを有し得、異なるｅＮＢからの送信は時間的にほぼ整合され得る。非同期動作の場合、ｅＮＢは異なるフレームタイミングおよび／またはゲーティングタイミングを有し得、異なるｅＮＢからの送信は時間的に整合されない場合がある。本明細書で説明される技法は、同期動作または非同期動作のいずれかに対して使用され得る。
【００６５】
[0089]ＵＥ１１５はシステム１００全体にわたって分散され、各ＵＥは固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合がある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００６６】
[0090]システム１００中に示された通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、一方、アップリンク送信は逆方向リンク送信と呼ばれることもある。ダウンリンク送信は、認可スペクトル（たとえば、ＬＴＥ）、無認可スペクトル、または両方を使用して作成され得る。同様に、アップリンク送信は、認可スペクトル（たとえば、ＬＴＥ）、無認可スペクトル、または両方を使用して作成され得る。
【００６７】
[0091]システム１００のいくつかの実施形態では、無認可スペクトルを用いるＬＴＥ／ＬＴＥ−Ａのための様々な展開シナリオは、認可スペクトルの中のＬＴＥダウンリンク容量が無認可スペクトルへオフロードされ得る補助ダウンリンク（ＳＤＬ）モードと、ＬＴＥダウンリンク容量とＬＴＥアップリンク容量の両方が認可スペクトルから無認可スペクトルへオフロードされ得るキャリアアグリゲーションモードと、基地局（たとえば、ｅＮＢ）とＵＥとの間のＬＴＥダウンリンク通信およびＬＴＥアップリンク通信が無認可スペクトルの中で行われ得るスタンドアロンモードとを含んでサポートされ得る。基地局１０５およびＵＥ１１５は、これらまたは同様の動作モードのうちの１つまたは複数をサポートし得る。ＯＦＤＭＡ通信信号は、無認可スペクトルの中のＬＴＥダウンリンク送信のために通信リンク１２５の中で使用され得、一方、ＳＣ−ＦＤＭＡ通信信号は、無認可スペクトルの中のＬＴＥアップリンク送信のために通信リンク１２５の中で使用され得る。システム１００などのシステムにおける、無認可スペクトルを用いる動作のＬＴＥ／ＬＴＥ−Ａの展開シナリオまたは展開モードの実装形態に関するさらなる詳細、ならびに無認可スペクトルを用いるＬＴＥ／ＬＴＥ−Ａの動作に関する他の特徴および機能が、図２Ａ〜図１７を参照して以下に提供される。
【００６８】
[0092]次に図２Ａを参照すると、図２００は、無認可スペクトルを介して通信をサポートするＬＴＥネットワークのための補助ダウンリンクモードおよびキャリアアグリゲーションモードの例を示す。図２００は、図１のシステム１００の部分の一例であり得る。その上、基地局１０５−ａは図１の基地局１０５の一例であり得、ＵＥ１１５−ａは図１のＵＥ１１５の例であり得る。
【００６９】
[0093]図２００における補助ダウンリンクモードの例では、基地局１０５−ａは、ＯＦＤＭＡ通信信号をＵＥ１１５−ａへダウンリンク２０５を使用して送信し得る。ダウンリンク２０５は、無認可スペクトルの中の周波数Ｆ１に関連付けられている。基地局１０５−ａは、ＯＦＤＭＡ通信信号を同じＵＥ１１５−ａに双方向リンク２１０を使用して送信し得、ＳＣ−ＦＤＭＡ通信信号をそのＵＥ１１５−ａから双方向リンク２１０を使用して受信し得る。双方向リンク２１０は、認可スペクトルの中の周波数Ｆ４に関連付けられている。無認可スペクトルの中のダウンリンク２０５および認可スペクトルの中の双方向リンク２１０は、同時に動作し得る。ダウンリンク２０５は、基地局１０５−ａに対してダウンリンク容量オフロードを提供し得る。いくつかの実施形態では、ダウンリンク２０５は、ユニキャストサービス（たとえば、１つのＵＥにアドレス指定される）サービスまたはマルチキャストサービス（たとえば、いくつかのＵＥにアドレス指定される）に使用され得る。このシナリオは、認可スペクトルを使用しトラフィックおよび／またはシグナリングの混雑のうちの一部を緩和する必要がある、任意のサービスプロバイダ（たとえば、従来のモバイルネットワークオペレータすなわちＭＮＯ）に対して生じ得る。
【００７０】
[0094]図２００におけるキャリアアグリゲーションモードの１つの例では、基地局１０５−ａは、ＯＦＤＭＡ通信信号をＵＥ１１５−ａへ双方向リンク２１５を使用して送信し得、ＳＣ−ＦＤＭＡ通信信号を同じＵＥ１１５−ａから双方向リンク２１５を使用して受信し得る。双方向リンク２１５は、無認可スペクトル内の周波数Ｆ１に関連付けられている。基地局１０５−ａはまた、ＯＦＤＭＡ通信信号を同じＵＥ１１５−ａへ双方向リンク２２０を使用して送信し得、ＳＣ−ＦＤＭＡ通信信号を同じＵＥ１１５−ａから双方向リンク２２０を使用して受信し得る。双方向リンク２２０は、認可スペクトルの中の周波数Ｆ２に関連付けられている。双方向リンク２１５は、基地局１０５−ａに対してダウンリンクおよびアップリンクの容量オフロードを提供し得る。上記で説明した補助ダウンリンクのように、このシナリオは、認可スペクトルを使用しトラフィックおよび／またはシグナリングの混雑のうちの一部を緩和する必要がある、任意のサービスプロバイダ（たとえば、ＭＮＯ）に対して生じる場合がある。
【００７１】
[0095]図２００におけるキャリアアグリゲーションモードの別の例では、基地局１０５−ａは、ＯＦＤＭＡ通信信号をＵＥ１１５−ａへ双方向リンク２２５を使用して送信し得、ＳＣ−ＦＤＭＡ通信信号を同じＵＥ１１５−ａから双方向リンク２２５を使用して受信し得る。双方向リンク２２５は、無認可スペクトルの中の周波数Ｆ３に関連付けられている。基地局１０５−ａはまた、ＯＦＤＭＡ通信信号を同じＵＥ１１５−ａへ双方向リンク２３０を使用して送信し得、ＳＣ−ＦＤＭＡ通信信号を同じＵＥ１１５−ａから双方向リンク２３０を使用して受信し得る。双方向リンク２３０は、認可スペクトルの中の周波数Ｆ２に関連付けられている。双方向リンク２２５は、基地局１０５−ａに対してダウンリンクおよびアップリンクの容量オフロードを提供し得る。本例および上記で提供された例は、例示を目的として提示されており、容量オフロードのために無認可スペクトルを用いるＬＴＥ／ＬＴＥ−Ａと用いないＬＴＥ／ＬＴＥ−Ａとを組み合わせる他の同様のモードの動作または展開のシナリオがあり得る。
【００７２】
[0096]上記で説明されたように、無認可帯域の中でＬＴＥ／ＬＴＥ−Ａを使用することによって提供される容量オフロードから利益を得ることができる典型的なサービスプロバイダは、ＬＴＥスペクトルを用いる従来のＭＮＯである。これらのサービスプロバイダにとって、運用上の構成は、認可スペクトル上のＬＴＥ  １次コンポーネントキャリア（ＰＣＣ）と無認可スペクトル上の２次コンポーネントキャリア（ＳＣＣ）とを使用するブートストラップモード（たとえば、補助ダウンリンク、キャリアアグリゲーション）を含み得る。
【００７３】
[0097]補助ダウンリンクモードにおいて、無認可スペクトルを用いるＬＴＥ／ＬＴＥ−Ａに対する制御は、ＬＴＥアップリンク（たとえば、双方向リンク２１０のアップリンク部）を介して移送され得る。ダウンリンク容量オフロードを提供する理由の１つは、ダウンリンク消費によってデータ需要が大幅に高められるからである。その上、このモードでは、ＵＥは無認可スペクトルの中で送信されないので、規制影響（regulatory impact）がない場合がある。ＵＥ上で送信前受信チェック（ＬＢＴ：listen-before-talk）またはキャリアセンス多重接続（ＣＳＭＡ：carrier sense multiple access）要件を実施する必要はない。しかしながら、ＬＢＴは、たとえば、周期的（たとえば、１０ミリ秒ごと）なクリアチャンネルアセスメント（ＣＣＡ）および／または無線フレーム境界に揃えられたｇｒａｂ−ａｎｄ−ｒｅｌｉｎｑｕｉｓｈメカニズムを使用することによって、基地局（たとえば、ｅＮＢ）上で実施され得る。
【００７４】
[0098]キャリアアグリゲーションモードでは、データおよび制御は、ＬＴＥ（たとえば、双方向リンク２１０、２２０、および２３０）において通信され得、一方、データは、無認可スペクトル（たとえば、双方向リンク２１５および２２５）を介して通信され得る。無認可スペクトルを用いるＬＴＥ／ＬＴＥ−Ａを使用する場合にサポートされるキャリアアグリゲーションメカニズムは、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００７５】
[0099]図２Ｂは、無認可スペクトルを用いるＬＴＥ／ＬＴＥ−Ａに対するスタンドアロンモードの一例を示す図２００−ａを示す。図２００−ａは、図１のシステム１００の部分の一例であり得る。その上、基地局１０５−ｂは、図１の基地局１０５および図２Ａの基地局１０５−ａの一例であり得、一方、ＵＥ１１５−ｂは、図１のＵＥ１１５および図２ＡのＵＥ１１５−ａの一例であり得る。
【００７６】
[00100]図２００−ａにおけるスタンドアロンモードの一例では、基地局１０５−ｂは、ＯＦＤＭＡ通信信号をＵＥ１１５−ｂへ双方向リンク２４０を使用して送信し得、ＳＣ−ＦＤＭＡ通信信号をＵＥ１１５−ｂから双方向リンク２４０を使用して受信し得る。双方向リンク２４０は、図２Ａを参照して上記で説明された無認可スペクトルの中の周波数Ｆ３に関連付けられている。スタンドアロンモードは、スタジアム内アクセス（たとえば、ユニキャスト、マルチキャスト）など、非従来型ワイヤレスアクセスシナリオにおいて使用され得る。この動作モードに対する典型的なサービスプロバイダは、スタジアム所有者、ケーブル企業、イベント主催者、ホテル、企業、および認可スペクトルを持たない大法人であり得る。これらのサービスプロバイダに対して、スタンドアロンモードに対する運用上の構成は、無認可スペクトル上で無認可スペクトルＰＣＣを用いるＬＴＥ／ＬＴＥ−Ａを使用し得る。その上、ＬＢＴは、基地局とＵＥの両方で実施され得る。
【００７７】
[00101]次に図３を参照すると、図３００は、様々な実施形態による、認可スペクトルおよび無認可スペクトルの中でＬＴＥを同時に使用するときのキャリアアグリゲーションの一例を示す。図３００におけるキャリアアグリゲーション方式は、図２Ａを参照して上記で説明されたハイブリッドＦＤＤ−ＴＤＤキャリアアグリゲーションに対応し得る。このタイプのキャリアアグリゲーションは、図１のシステム１００の少なくとも一部において使用され得る。その上、このタイプのキャリアアグリゲーションは、それぞれ図１および図２Ａの基地局１０５および１０５−ａにおいて、ならびに／または、それぞれ図１および図２ＡのＵＥ１１５および１１５−ａにおいて使用され得る。
【００７８】
[00102]この例では、ＦＤＤ（ＦＤＤ−ＬＴＥ）はダウンリンク内でＬＴＥとともに実行され得、第１のＴＤＤ（ＴＤＤ１）は無認可スペクトルを用いるＬＴＥ／ＬＴＥ−Ａとともに実行され得、第２のＴＤＤ（ＴＤＤ２）はＬＴＥとともに実行され得、別のＦＤＤ（ＦＤＤ−ＬＴＥ）はアップリンク内でＬＴＥとともに実行され得る。ＴＤＤ１は６：４のＤＬ：ＵＬ比をもたらし、一方、ＴＤＤ２に対する比は７：３である。時間スケール上で、異なる効果的なＤＬ：ＵＬ比は、３：１、１：３、２：２、３：１、２：２および３：１である。この例は、例示の目的で提示され、無認可スペクトルを用いるＬＴＥ／ＬＴＥ−Ａと用いないＬＴＥ／ＬＴＥ−Ａとの動作を組み合わせる他のキャリアアグリゲーション方式があり得る。
【００７９】
[00103]図４は、図１中の基地局／ｅＮＢのうちの１つであり得る基地局／ｅＮＢ１０５および図１中のＵＥのうちの１つであり得るＵＥ１１５の設計のブロック図を示す。ｅＮＢ１０５はアンテナ４３４ａ〜４３４ｔを装備し得、ＵＥ１１５はアンテナ４５２ａ〜４５２ｒを装備し得る。ｅＮＢ１０５において、送信プロセッサ４２０は、データソース４１２からデータを受信し、コントローラ／プロセッサ４４０から制御情報を受信することができる。制御情報は、物理ブロードキャストチャンネル（ＰＢＣＨ：physical broadcast channel）、物理制御フォーマット指示チャンネル（ＰＣＦＩＣＨ：physical control format indicator channel）、物理ハイブリッド自動再送要求指示チャンネル（ＰＨＩＣＨ：physical hybrid automatic repeat request indicator channel）、物理ダウンリンク制御チャンネル（ＰＤＣＣＨ：physical downlink control channel）などに対するものであり得る。データは、物理ダウンリンク共有チャンネル（ＰＤＳＣＨ：physical downlink shared channel）などのためのものであり得る。送信プロセッサ４２０は、データシンボルと制御シンボルとを取得するために、それぞれデータと制御情報とを処理（たとえば、符号化およびシンボルマッピング）し得る。送信プロセッサ４２０はまた、たとえば、１次同期信号（ＰＳＳ）、２次同期信号（ＳＳＳ）、およびセル固有基準信号のための基準シンボルを生成し得る。送信（ＴＸ）多入力多出力（ＭＩＭＯ）プロセッサ４３０は、適用可能な場合はデータシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、出力サンプルストリームを取得するために、（たとえば、ＯＦＤＭなどのための）それぞれの出力シンボルストリームを処理し得る。各変調器４３２はさらに、出力サンプルストリームを処理（たとえば、アナログへの変換、増幅、フィルタ処理、およびアップコンバート）して、ダウンリンク信号を取得し得る。変調器４３２ａ〜４３２ｔからのダウンリンク信号は、それぞれアンテナ４３４ａ〜４３４ｔを介して送信され得る。
【００８０】
[00104]ＵＥ１１５において、アンテナ４５２ａ〜４５２ｒは、ｅＮＢ１０５からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４は、受信シンボルを取得するために、（たとえば、ＯＦＤＭなどのために）入力サンプルをさらに処理し得る。ＭＩＭＯ検出器４５６は、すべての復調器４５４ａ〜４５４ｒから受信シンボルを取得し、適用可能な場合は受信シンボルに対してＭＩＭＯ検出を実行し、検出シンボルを与え得る。受信プロセッサ４５８は、検出シンボルを処理（たとえば、復調、デインターリーブ、および復号）し、ＵＥ１１５のための復号されたデータをデータシンク４６０に与え、復号された制御情報をコントローラ／プロセッサ４８０に与え得る。
【００８１】
[00105]アップリンク上では、ＵＥ１１５において、送信プロセッサ４６４は、データソース４６２から（たとえば、物理アップリンク共有チャンネル（ＰＵＳＣＨ：Physical Uplink Shared Channel）のための）データを受信し、処理し得、コントローラ／プロセッサ４８０から（たとえば、物理アップリンク制御チャンネル（ＰＵＣＣＨ：Physical Uplink Control Channel）のための）制御情報を受信し、処理し得る。送信プロセッサ４６４はまた、基準信号用の基準シンボルを生成し得る。送信プロセッサ４６４からのシンボルは、適用可能な場合はＴＸ  ＭＩＭＯプロセッサ４６６によってプリコードされ、さらに（たとえば、ＳＣ−ＦＤＭなどのために）復調器４５４ａ〜４５４ｒによって処理され、ｅＮＢ１０５に送信され得る。ｅＮＢ１０５において、ＵＥ１１５からのアップリンク信号は、アンテナ４３４によって受信され、変調器４３２によって処理され、適用可能な場合はＭＩＭＯ検出器４３６によって検出され、さらに受信プロセッサ４３８によって処理されて、ＵＥ１１５によって送られた復号されたデータおよび制御情報が取得され得る。プロセッサ４３８は、復号されたデータをデータシンク４３９に与え、復号された制御情報をコントローラ／プロセッサ４４０に与え得る。
【００８２】
[00106]コントローラ／プロセッサ４４０および４８０は、それぞれｅＮＢ１０５における動作およびＵＥ１１５における動作を指示し得る。ｅＮＢ１０５におけるコントローラ／プロセッサ４４０および／または他のプロセッサおよびモジュールは、本明細書で説明する技法のための様々なプロセスを実行するか、またはその実行を指示し得る。ＵＥ１１５におけるコントローラ／プロセッサ４８０および／または他のプロセッサとモジュールはまた、図６〜図９、図１１〜図１６、図１８および図１９に示される機能ブロック、および／または本明細書で説明される技法のための他のプロセスを実行するかまたはその実行を指示することができる。メモリ４４２および４８２は、それぞれｅＮＢ１０５およびＵＥ１１５のためのデータおよびプログラムコードを記憶し得る。スケジューラ４４４は、ダウンリンク上および／またはアップリンク上でのデータ送信のためにＵＥをスケジュールし得る。
【００８３】
[00107]上記の説明から諒解されるように、無認可スペクトルを用いるＬＴＥ／ＬＴＥ−Ａは、ＷＩＦＩノードなど、無認可スペクトルノードからのバースト性干渉を経験する場合がある。このバースト性干渉は、各サブフレームにおける時変干渉をもたらす場合がある。その結果、コードブロック当たりの信号対干渉雑音比（ＳＩＮＲ）は、著しく変動する場合がある。本開示は、ｅＮＢがバースト性干渉をよりよく処理することができるための、肯定応答（ＡＣＫ）、否定応答（ＮＡＫ）、およびチャンネル品質インジケータ（ＣＱＩ）報告における様々な強化を対象にする。本開示の残りの全体にわたって、ＷＩＦＩ干渉は、例示的なタイプの無認可スペクトル干渉を指す。しかしながら、本明細書で開示される強化は、他のタイプの無認可スペクトル干渉に使用され得ることを理解されたい。
【００８４】
[00108]図５Ａ〜図５Ｅは、本開示によるＡＣＫ／ＮＡＫ報告強化を示す例を提供する。これらの例では、基地局５００は送信をＵＥ５０４に送り、ＵＥ５０４は、サブフレームの間にＷＩＦＩ干渉などの無認可スペクトル干渉が存在するかどうか、および／またはサブフレーム復号の失敗がＷＩＦＩ干渉が存在した結果である可能性があるかどうかを示すために、１つまたは複数の追加のビットを含み得るＡＣＫまたはＮＡＫを用いて応答する。下記の例では、ＡＣＫ／ＮＡＫメッセージは、ＷＩＦＩ干渉インジケータ（ＷＩＩ）ビットと推論的（Speculative）ＡＣＫビットとを含む２つまでの追加ビットとともに与えられ得る。ＷＩＩビットは、サブフレームの間にＷＩＦＩ干渉が存在したかどうかを示すために使用され得、推論的ＡＣＫビットは、サブフレーム復号の失敗がＷＩＦＩ干渉が存在した結果である可能性があるかどうかを示すために使用され得る。サブフレームごとにまたは周期的に提供され得るこの情報を用いて、基地局５００は、たとえば、ＷＩＦＩ干渉によるＮＡＫと、フェージングまたは経路損失など、他の原因によるＮＡＫとの間を区別することができる。基地局５００はまた、サブフレーム復号に対するＷＩＦＩ干渉の影響を決定し得る。したがって、基地局５００は、経時的にＷＩＦＩ干渉情報を蓄積し、干渉が本質的にバースト性であるかどうか、および干渉がＵＥとの通信性能に重大な影響を及ぼすかどうかを、干渉の頻度に基づいてインテリジェントな決定を下すことができる。ＵＥ５０４および基地局５００によって遂行される例示的な動作は、それぞれ、図６および図７を参照して以下でより詳細に説明される。
【００８５】
[00109]図５Ａは、本開示の一態様による、ＡＣＫ／ＮＡＫ報告強化の第１の例を示す図を示す。この例では、ＵＥ５０４は、基地局５００から送信されたサブフレーム５０２を正常に復号することができる。ＵＥ５０４はまた、サブフレームの間にＷＩＦＩ干渉が存在しないことを決定する。したがって、ＵＥ５０４は、サブフレームの正常復号を示す、１にセットされたＡＣＫビットを有するＡＣＫ５０６を、基地局５００に送信し得る。本開示によれば、ＵＥ５０４はまた、サブフレームの間にＷＩＦＩ干渉が存在しなかったことを示す、ゼロにセットされたＷＩＦＩ干渉インジケータ（ＷＩＩ）ビットを、ＡＣＫ５０６の中に含み得る。
【００８６】
[00110]図５Ｂは、本開示の一態様による、ＡＣＫ／ＮＡＫ報告強化の第２の例を示す図を示す。この例では、ＵＥ５０４は、再び、基地局５００から送信されたサブフレーム５０８を正常に復号することができる。ＵＥ５０４はまた、サブフレームの間にＷＩＦＩ干渉が存在することを決定する。したがって、ＵＥ５０４は、サブフレームの正常復号を示す、１にセットされたＡＣＫビットを有するＡＣＫ５１０を、基地局５００に送信し得る。本開示によれば、ＵＥ５０４はまた、サブフレームの間にＷＩＦＩ干渉が存在したことを示す、１にセットされたＷＩＩビットを、ＡＣＫ５１０の中に含み得る。
【００８７】
[00111]図５Ｃは、本開示の一態様による、ＡＣＫ／ＮＡＫ報告強化の第３の例を示す図を示す。この例では、ＵＥ５０４は、基地局５００から送信されたサブフレーム５１２を正常に復号することができない。ＵＥ５０４はまた、サブフレームの間にＷＩＦＩ干渉が存在しないことを決定する。したがって、ＵＥ５０４は、サブフレームの失敗復号を示す、ゼロにセットされたＡＣＫビットを有するＮＡＫ５１４を、基地局５００に送信し得る。本開示によれば、ＵＥ５０４はまた、サブフレームの間にＷＩＦＩ干渉が存在しなかったことを示す、ゼロにセットされたＷＩＩビットを、ＮＡＫ５１４の中に含み得る。
【００８８】
[00112]図５Ｄは、本開示の一態様による、ＡＣＫ／ＮＡＫ報告強化の第４の例を示す図を示す。この例では、ＵＥ５０４は、基地局５００から送信されたサブフレーム５１６を正常に復号することができない。ＵＥ５０４はまた、サブフレームの間にＷＩＦＩ干渉が存在すること、およびサブフレーム復号の失敗がＷＩＦＩ干渉が存在したことによらない可能性があることを決定する。したがって、ＵＥ５０４は、サブフレームの失敗復号を示す、ゼロにセットされたＡＣＫビットを有するＮＡＫ５１８を、基地局５００に送信し得る。本開示によれば、ＵＥ５０４はまた、サブフレームの間にＷＩＦＩ干渉が存在したことを示す、１にセットされたＷＩＩビットと、サブフレーム復号の失敗がＷＩＦＩ干渉が存在したことによらない可能性があることを示す、ゼロにセットされた推論的ＡＣＫビットとを、ＮＡＫ５１８の中に含み得る。
【００８９】
[00113]図５Ｅは、本開示の一態様による、ＡＣＫ／ＮＡＫ報告強化の第５の例を示す図を示す。この例では、ＵＥ５０４は、基地局５００から送信されたサブフレーム５２０を正常に復号することができない。ＵＥ５０４はまた、サブフレームの間にＷＩＦＩ干渉が存在することと、サブフレーム復号の失敗がＷＩＦＩ干渉が存在したことによる可能性があることとを決定する。したがって、ＵＥ５０４は、サブフレームの失敗復号を示す、ゼロにセットされたＡＣＫビットを有するＮＡＫ５２２を、基地局５００に送信し得る。本開示によれば、ＵＥ５０４はまた、サブフレームの間にＷＩＦＩ干渉が存在したことを示す、１にセットされたＷＩＩビットと、サブフレーム復号の失敗がＷＩＦＩ干渉が存在したことによる可能性があることを示す、１にセットされた推論的ＡＣＫビットとを、ＮＡＫ５２２の中に含み得る。
【００９０】
[00114]図５Ｆは、本開示の一態様による報告強化の別の例を示す図を示す。この例では、基地局５００は、基地局５０４に送信を送る準備中であり得る。この送信を予期して、基地局５００は、ＵＥ５０４にチャンネル状態条件報告要求５２４を送信し得る。ＵＥ５０４は、ＵＥ５０４によって経験されたＷＩＦＩ干渉に関する情報を含むチャンネル状態条件報告５２６で応答し得る。基地局５００は、今後の送信を予期して周期的にそのような報告を要求し、経時的にこの情報を蓄積することができることが想定される。代替的に、ＵＥ５０４は、チャンネル条件を周期的に測定し、経時的にＷＩＦＩ干渉情報を蓄積することができることが想定される。この代替では、報告５２６は、経時的にＵＥ５０４によって蓄積された情報を含み得る。基地局５００およびＵＥ５０４によって遂行される例示的な動作は、それぞれ、図８および図９を参照して以下でより詳細に説明される。
【００９１】
[00115]図６は、本開示の一態様による、強化されたＡＣＫ／ＮＡＫ報告プロセス中にユーザ機器によって実行される例示的なブロックを示す図を示す。たとえば、ブロック６００において開始して、ＵＥは、基地局からサブフレームの送信を受信し得る。加えて、ブロック６０２において、ＵＥは、ＷＩＦＩ干渉などの無認可スペクトル干渉が存在するかどうかを決定し得る。同じく、ブロック６０４において、ＵＥは、サブフレームを復号することを試みることができる。さらに、周期的に報告を実施するいくつかの態様では、ブロック６０６において、所定の時間期間が経過したかどうかの決定が、ＵＥによって下され得る。たとえば、ブロック６０６において、カウンタと、上位レイヤから受信されたしきい値とが比較され得る。ブロック６０６において、所定の時間期間が経過していないと決定される場合、ブロック６０８においてカウンタがインクリメントされ、ブロック６１０において通常のＡＣＫ／ＮＡＫ手順が実行され得る。処理は、ブロック６１０から、ブロック６００など、そのプロセス内の以前の点に戻ることができる。しかしながら、ブロック６０６において、所定の時間期間が経過したと決定される場合、ブロック６１２においてカウンタがリセットされ、処理はブロック６１４に進み得る。代替として、報告は、サブフレームごとなど、非周期的または連続的に実行される場合があることが想定される。
【００９２】
[00116]ブロック６１４において、サブフレームが正常に復号されたどうかの決定が行われ得る。ブロック６１４においてサブフレームが正常に復号されたと決定される場合、正常に復号されたサブフレームの送信中にＷＩＦＩ干渉が存在したと、ブロック６０２において決定されたかどうかのさらなる決定が、ブロック６１６において下され得る。ブロック６１６においてＷＩＦＩ干渉が存在しなかったと決定される場合、ブロック６１８において、ＵＥは、ＷＩＦＩ干渉が存在しなかったことを示す、ゼロにセットされたＷＩＩビットを有するＡＣＫを基地局に送信し得る。しかしながら、ブロック６１６においてＷＩＦＩ干渉が存在したと決定される場合、ブロック６２０において、ＵＥは、ＷＩＦＩ干渉が存在したことを示す、１にセットされたＷＩＩビットを有するＡＣＫを基地局に送信し得る。処理は、ブロック６１８および６２０から、ブロック６００など、プロセス内の以前の点に戻ることができる。しかしながら、ブロック６１４においてサブフレームが正常に復号され得なかったと決定された場合、処理は、ブロック６１４からブロック６２２に進み得る。
【００９３】
[00117]復号に失敗したサブフレームを送信中にＷＩＦＩ干渉が存在したと、ブロック６０２において決定されたかどうかの決定が、ブロック６２２において下され得る。ブロック６２２においてＷＩＦＩ干渉が存在しなかったと決定される場合、ブロック６２４において、ＵＥは、ＷＩＦＩ干渉が存在しなかったことを示す、ゼロにセットされたＷＩＩビットを有するＮＡＫを基地局に送信し得る。処理は、ブロック６２４から、ブロック６００など、そのプロセス内の以前の点に戻ることができる。しかしながら、ブロック６２２においてＷＩＦＩ干渉が存在したと決定される場合、処理は、ブロック６２２からブロック６２６に進み得る。
【００９４】
[00118]ブロック６２６において、ＵＥは、サブフレーム正常復号の失敗がＷＩＦＩ干渉が存在したことによる可能性があったかどうかを決定し得る。たとえば、ＵＥは、ノイズ比推定および／または所定の短期（ＳＴ）曲線（Short Term (ST) curve）に関する解析を実行し、その解析に基づいてブロック６２６において決定を下すことができる。この点について、ＳＴ曲線は、１０％のサブフレームエラー率を達成するための最小ＳＮＲを決定するためのシミュレーションにおいて使用され得る。これらのＳＴ曲線は、使用された変調およびコーディング方式、チャンネル条件、使用されたデコーダ、および他の要因によって変化する場合がある。処理は、ブロック６２６からブロック６２８に進み得る。
【００９５】
[00119]ブロック６２８において、サブフレーム正常復号の失敗がＷＩＦＩ干渉が存在したことによらない可能性があったと決定される場合、ブロック６３０において、ＵＥは、ＷＩＦＩ干渉が存在したことを示す、１にセットされたＷＩＩビットを有し、ＷＩＦＩ干渉がないときにはサブフレームは推論的に復号可能であることを示す、１にセットされた推論的ＡＣＫビットを有するＮＡＫを送信し得る。しかしながら、ブロック６２８において、ＵＥが、サブフレーム正常復号の失敗がＷＩＦＩ干渉が存在したことによらない可能性があったと決定する場合、ブロック６３２において、ＵＥは、ＷＩＦＩ干渉が存在したことを示す、１にセットされたＷＩＩビットを有し、ＷＩＦＩ干渉がないときにはサブフレームは推論的に復号可能でないことを示す、ゼロにセットされた推論的ＡＣＫビットを有するＮＡＫを送信し得る。処理は、ブロック６３０およびブロック６３２から、ブロック６００など、そのプロセス内の以前の点に戻ることができる。
【００９６】
[00120]図７は、本開示の一態様による、強化されたＡＣＫ／ＮＡＫ報告プロセス中に基地局によって実行される例示的なブロックを示す図を示す。ブロック７００において開始して、基地局はＵＥからＡＣＫ／ＮＡＫを受信し得、ブロック７０２において、当業者には容易に理解される方式で、ＡＣＫ／ＮＡＫビットに基づいてハイブリッド自動再送要求（ＨＡＲＱ：Hybrid Automatic Repeat Request）プロセスを更新し得る。ブロック７０４において、基地局は、周期的またはサブフレームごとのいずれかでＷＩＩビットと推論的ＡＣＫビットとを蓄積し得る。ブロック７０６において、基地局は、ＵＥによって経験されたＷＩＦＩ干渉などの無認可スペクトル干渉の頻度と、サブフレームの復号に及ぼすその影響とを決定するために、蓄積された情報を利用し得る。たとえば、基地局は、蓄積されたＷＩＩビットに基づいてＷＩＦＩ干渉比率を観測し、蓄積された推論的ＡＣＫビットに基づいてバースト性干渉を識別することができることが想定される。ＷＩＦＩ干渉の影響がブロック７１０において補正動作を取ることを正当化するほど十分に重大であるかどうかを決定するために、ブロック７０８において、影響の大きさ（impact measure）がしきい値と比較され得る。たとえば、いくつかのサブフレームがＷＩＦＩ干渉によってエラーになっている場合、ブロック７１２において、基地局は、バースト性干渉を補償するために変調およびコーディング方式（ＭＣＳ）を引き下げる場合がある。代替として、ブロック７１４において、基地局は、ＷＩＦＩ干渉が存在したことの表示に応答して、ＵＥを異なる無認可チャンネルまたは認可帯域に切り替える場合がある。たとえば、切り替えは、ＭＣＳがそれ以上引き下げられない場合に実行される場合がある。
【００９７】
[00121]図８は、本開示の一態様による、チャンネル状態条件報告プロセス中に基地局によって実行される例示的なブロックを示す図を示す。たとえば、ブロック８００において開始して、基地局は、ＵＥにチャンネル状態条件報告要求を送信し得る。基地局は、今後の送信を予期してこの要求を送信し得ること、およびそれは周期的または非周期的に実行され得ることが想定される。加えて、ブロック８０２において、基地局は、ＵＥからチャンネル状態条件報告を受信し得る。この報告は、前に説明されたＷＩＩビットおよび／または推論的ＡＣＫビットを含み得ることが想定される。いくつかの態様では、これらのビットは、サブフレームが基地局から受信されない時点において、ＵＥによって経験された条件を示し得る。たとえば、ＷＩＦＩ干渉などの無認可スペクトル干渉が存在する結果としてＵＥが１つまたは複数の送信の復号に失敗する可能性があるかどうかを、推論的ＡＣＫビットが示し得る。代替または追加として、報告は、要求を予期してＵＥによって経時的に蓄積されたＷＩＩビットおよび推論的ＡＣＫビットの情報を含み得ることが想定される。基地局が、経時的に干渉情報を蓄積する役目を果たす場合、ブロック８０４において、基地局は、周期的、非周期的または連続的のいずれかで経時的に、ＷＩＩビットと推論的ＡＣＫビットとを蓄積し得る。処理は、ブロック８０４からブロック８０６に進み得る。
【００９８】
[00122]ブロック８０６において、基地局は、ＵＥに向けられたデータがダウンリンクバッファに届いたかどうかの決定を下すことができる。ブロック８０６においてデータがＵＥに送信されることはないと決定された場合、処理は、ブロック８００など、そのプロセス内の以前の点に戻り得る。しかしながら、ブロック８０６においてデータがＵＥに送信される必要があると決定された場合、ブロック８０８において、基地局は、ＵＥによって経験されたＷＩＦＩ干渉の頻度とサブフレームの復号に及ぼすその影響とを決定するために、蓄積されたＷＩＦＩ干渉情報を利用し得る。たとえば、基地局は、蓄積されたＷＩＩビットに基づいてＷＩＦＩ干渉比率を観測し、蓄積された推論的ＡＣＫビットに基づいてバースト性干渉を識別することができることが想定される。ＷＩＦＩ干渉の影響がブロック８１２において補正動作を取ることを正当化するほど十分に重大であるかどうかを決定するために、ブロック８１０において、影響の大きさがしきい値と比較され得る。ブロック８１０において影響が重大でないと決定された場合、処理は、ブロック８００など、そのプロセス内の以前の点に戻り得る。しかしながら、ブロック８１０において影響が重大であると決定された場合、ブロック８１２において補正動作が取られ得る。たとえば、いくつかのサブフレームがＷＩＦＩ干渉によってエラーになっている場合、ブロック８１４において、基地局は、バースト性干渉を補償するために変調およびコーディング方式（ＭＣＳ）を引き下げる場合がある。代替として、ブロック８１６において、基地局は、ＷＩＦＩ干渉が存在したことの表示に応答して、ＵＥを異なる無認可チャンネルまたは認可帯域に切り替える場合がある。たとえば、切り替えは、ＭＣＳがそれ以上引き下げられない場合に実行され得る。ブロック８１２において補正動作が取られた後、ブロック８１８において、基地局は、ＵＥにデータを送信し得る。処理は、ブロック８１８から、ブロック８００など、そのプロセス内の以前の点に戻ることができる。
【００９９】
[00123]図９は、本開示の一態様による、チャンネル状態条件報告プロセス中にユーザ機器によって実行される例示的なブロックを示す図を示す。たとえば、ブロック９００において開始して、ＵＥは、基地局からチャンネル状態条件報告要求を受信し得る。加えて、ブロック９００において受信された要求に応答して、ＵＥは、ブロック９０２においてチャンネル条件を決定し、ブロック９０４において基地局にチャンネル状態条件報告を送信することができる。本開示の態様によれば、報告は、ＵＥによって経験されたＷＩＦＩ干渉など、無認可スペクトル干渉に関する情報を含み得る。いくつかの態様では、ＷＩＦＩ干渉に関する情報は、前に説明された１つまたは複数のＷＩＩビットなど、ＷＩＦＩ干渉の存在に関する情報を含み得ることが想定される。代替または追加として、ブロック９０２において、ＵＥは、ＷＩＦＩ干渉が存在する結果としてＵＥが１つまたは複数の送信の復号に失敗する可能性があるかどうかを決定し得ることが想定される。これらの態様では、ＷＩＦＩ干渉に関する情報は、前に説明された１つまたは複数の推論的ＡＣＫビットなど、ＷＩＦＩ干渉が存在する結果としてＵＥが１つまたは複数の送信の復号に失敗する可能性があるかどうかに関する情報を含み得る。いくつかの態様では、ＵＥは、要求を受信することを予期して、経時的にＷＩＩビットと推論的ＡＣＫビットとを周期的に取得および蓄積し、報告の中で、蓄積された情報を基地局に提供することができることが想定される。処理は、ブロック９０４からブロック９０６に進み得る。
【０１００】
[00124]ブロック９０６において、ＵＥは、異なるチャンネルまたは帯域に切り替えるためのコマンドが基地局から受信されているかどうかの決定を下すことができる。たとえば、ＵＥは、１つの無認可スペクトルチャンネルを用いるＬＴＥ／ＬＴＥ−Ａから無認可スペクトルチャンネルを用いるＬＴＥ／ＬＴＥ−Ａに切り替えるため、または無認可スペクトル帯域を用いるＬＴＥ／ＬＴＥ−Ａから認可帯域に切り替えるためのコマンドを受信し得る。ブロック９０６において、そのようなコマンドが受信されていないと決定される場合、ブロック９０８において、ＵＥは、現在のチャンネルまたは帯域上で基地局からデータを受信し得る。場合によっては、ブロック９０６において、そのようなコマンドが受信されたとＵＥが決定する場合、ブロック９１０において、ＵＥは、コマンドによって指定された異なるチャンネルまたは帯域に切り替え、その後、ブロック９０８において、異なるチャンネルまたは帯域上で基地局からデータを受信することができる。処理は、ブロック９０８から、ブロック９００など、そのプロセス内の以前の点に戻ることができる。
【０１０１】
[00125]図１０は、本開示の一態様による、無線フレームのサブフレームにわたっておよびサブフレームのスロットの間でスタガリングされるＣＳＩ−ＲＳおよびＩＭＲのリソースを示す図を示す。たとえば、典型的なダウンリンクフレーム構造において、１０ｍｓの無線フレーム１０００は、０〜９の添え字を付けられた１０個の等しいサイズのサブフレームから成ることができる。各サブフレームは２つの連続するタイムスロットを含み、リソースグリッドは、各タイムスロットが１つのリソースブロックを含む、２つの連続するタイムスロットを表すために使用され得る。ＬＴＥでは、リソースブロックは、周波数領域中に１２個の連続するサブキャリアを含んでいる。無線フレーム１０００は、複数のリソースブロックの行およびサブフレームの列から成り、サブフレームの各列は、１００２において示されるタイムスロットのペアから成り得る。例示のために、図１０に示されるように、８つの隣接するリソースグリッドのセットが考慮され得る。８つの隣接するリソースグリッドのこのセットは、０〜３の添え字を付けられたＲＢ０〜ＲＢ３の４つのリソースブロックの行、および１〜２の添え字を付けられた２つのサブフレームの列のように添え字を付けられてよく、各サブフレームは、０〜１の添え字を付けられたタイムスロットの列にさらに再分割される。
【０１０２】
[00126]本開示のいくつかの態様によれば、チャンネル状態情報（ＣＳＩ）基準信号（ＣＳＩ−ＲＳ）のリソースは、無線フレーム内のいくつかのサブフレームにわたってスタガリングされ得る。たとえば、リソースブロック０および２は、１００４および１００８におけるようにサブフレーム２に送信されたＣＳＩ−ＲＳのリソースを有し得、一方、リソースブロック１および３は、１００６および１０１０におけるようにサブフレーム１に送信されたＣＳＩ−ＲＳのリソースを有し得る。代替または追加として、スタガリングは、サブフレーム内のタイムスロット間で実行され得る。たとえば、リソースブロック０および２は、１００８および１００４においてそれぞれ示されるサブフレーム２のタイムスロット０と１との間でスタガリングされるＣＳＩ−ＲＳのリソースを有し得る。同様に、リソースブロック１および３は、１０１０および１００６においてそれぞれ示されるサブフレーム１のタイムスロット０と１との間でスタガリングされるＣＳＩ−ＲＳのリソースを有し得る。
【０１０３】
[00127]上記で説明されたように、サブフレームにわたるおよび／またはタイムスロット間のＣＳＩ−ＲＳのリソースのスタガリングは、ＣＳＩオーバーヘッドの変更を必要とすることなく、干渉をよりよく捕捉することができる。基地局によって利用されるスタガリングパターンは、ＰＤＳＣＨ疑似コロケーションインジケータ（ＰＱＩ：Quasi-Colocation Indicator）状態における協調マルチポイント（ＣｏＭＰ：Coordinated Multipoint）レートマッチングのために、他の基地局に通信され得ることが想定される。たとえば、２つのアンテナポートが疑似コロケートされることが仮定される場合、ＵＥは、１つのアンテナポート上のシンボルが伝えられるチャンネルの大規模な特性は、他のアンテナポートのシンボルが伝えられるチャンネルから推測され得ると仮定することができる。大規模な特性は、チャンネルゲイン、遅延拡散、ドップラーなどを含み得る。サービングｅＮＢ以外のｅＮＢに割り当てられるＣＳＩ−ＲＳのリソースに対して、疑似コロケーションは、（それらは異なるｅＮＢからの信号であるので）仮定され得ない。しかしながら、ＣＳＩ−ＲＳ信号がいくつかのｅＮＢから予想される場合、サービングｅＮＢは、ＣＳＩ−ＲＳベースの測定に対するいくつかの空のリソースを考慮するために、ＰＤＳＣＨ（レートマッチング動作）のためのより少ないシンボルを生成し得る。スタガリングが使用される場合、レートマッチングがいくつかのサブフレームに対して適切に実行され得るように、スタガリングパターンメイツーが他のｅＮＢに示される。
【０１０４】
[00128]スタガリングは、時変干渉の長いバーストをよりよく捕捉し、管理フレームおよび制御フレームなど、短いＷＩＦＩパケットによる影響を最小化する。時変干渉を捕捉することと、改善されたＣＱＩ推定との間にトレードオフが存在するが、帯域幅の異なるセクションに対するＣＱＩを評価するために、より高い密度が使用され得ることが想定される。帯域幅の所与のセクション内の各サブバンドに対するＣＱＩ報告をＵＥが計算することを可能にするために、ブロックスタガリングが使用され得ることも想定される。
【０１０５】
[00129]スタガリングはまた、１０１２〜１０１８に示されるように、干渉測定リソース（ＩＭＲ）のリソースに適用され得る。ＩＭＲは、ＵＥが、実装形態依存の方法で干渉を測定するリソース要素（ＲＥ）のセットを表す。ＩＭＲは、４ポートゼロ出力チャンネル状態情報基準信号（ＺＰ−ＣＳＩ−ＲＳ）のリソースによって与えられ得る。ネットワークは、ＩＭＲ上で作成／測定される干渉が、ＵＥが実際のＰＤＳＣＨ送信の間に遭遇することになる干渉を表すことを確実にする役割を果たし得る。容易に理解されるように、これらのＩＭＲのリソースは、ＣＳＩフィードバック報告のためのＣｏＭＰ方式において使用されるゼロ出力ＣＳＩ−ＲＳのリソースであり得る。異なるリソース要素が、異なる送信点によって干渉推定のために割り振られてよく、および／または複数の送信点の間で共有されるべき干渉推定のために割り振られてよい。送信点のグループの各々は、ＣＳＩフィードバック報告の一部としてシグナリングするために使用され得るリソースパターンを割り振られてよい。マッピング（たとえば、暗黙のつながり）は、シグナリングのオーバーヘッドを低減するために、グループ内のリソース要素パターンの間に存在し得る。ＵＥは、基地局によってシグナリングされたリソースパターングループの各々に対するチャンネル推定測定と干渉推定測定の両方を実行し、リソースをＵＥに割り振るのに使用するために、得られたチャンネル状態条件報告を基地局に与えることができる。
【０１０６】
[00130]固定されたスタガリングパターンが、すべての基地局に対するサブフレームにわたることが想定される。たとえば、固定されたスタガリングパターンが、ネットワーク内のすべての基地局に対して、またはＣｏＭＰセル内のすべての基地局に対して使用され得る。無認可スペクトルを用いるＬＴＥ／ＬＴＥ−Ａに対して、干渉が他の展開から予測され得るので、固定されたスタガリングパターンが使用されるべきである場合、すべての展開におけるすべての基地局に対してスタガリングパターンを固定することが好ましい場合がある。しかしながら、基地局は、ＩＭＲのリソースに対するスタガリングパターンを他の基地局に示してよいことが代替として想定される。この表示は、システム情報ブロック、ＲＲＣ接続セットアップ／再構成（RRC Connection Setup/Reconfiguration）メッセージ、または他のメッセージの使用によって達成され得る。
【０１０７】
[00131]図１１は、本開示の一態様による、ＣＳＩ−ＲＳおよびＩＭＲのリソーススタガリングプロセス中に基地局によって実行される例示的なブロックを示す図を示す。たとえば、ブロック１１００において開始して、基地局は、無線フレーム内のサブフレームにわたるＣＳＩ−ＲＳおよび／またはＩＭＲのリソースをスタガリングすることができる。加えて、ブロック１１０２において、基地局は、代替または追加として、サブフレーム内のスロットの間で、および／または各リソースブロック内の異なるシンボルおよびトーンにわたって、ＣＳＩ−ＲＳのリソースおよび／またはＩＭＲのリソースをスタガリングすることができる。同じく、ブロック１１０４において、基地局は、スタガリングパターンを他の基地局に示し得る。さらに、ブロック１１０６において、基地局は、無線フレームをＵＥに送信し得る。さらに、ブロック１１０８において、基地局は、スタガリングされたＣＳＩ−ＲＳおよび／またはＩＭＲのリソースに基づくチャンネル状態報告をＵＥから受信し得る。さらに、ブロック１１１０において、基地局は、受信されたチャンネル状態報告に基づいてＵＥによる使用のための１つまたは複数のリソースを決定し得る。
【０１０８】
[00132]図１２は、本開示の一態様による、ＣＳＩ−ＲＳおよびＩＭＲのリソーススタガリングプロセス中にユーザ機器によって実行される例示的なブロックを示す図を示す。たとえば、ブロック１２００において開始して、ＵＥは、基地局から無線フレームを受信し得る。この無線フレームは、前に説明されたように、サブフレームにわたって、および／またはサブフレーム内のスロットの間で、および／または各リソースブロック内の異なるシンボルおよびトーンにわたってスタガリングされたＣＳＩ−ＲＳまたはＩＭＲのリソースを有し得る。加えて、ブロック１２０２において、ＵＥは、スタガリングされたＣＳＩ−ＲＳおよび／またはＩＭＲのリソースに基づいてチャンネル推定および／または干渉推定を実行し得る。同じく、ブロック１２０２において、ＵＥは、チャンネル推定および／または干渉推定に基づいてチャンネル状態報告を生成し得る。さらに、ブロック１２０６において、ＵＥは、チャンネル状態報告を基地局に送信し得る。
【０１０９】
[00133]図１３は、本開示の一態様による、干渉報告プロセス中にユーザ機器によって実行される例示的なブロックを示す図を示す。たとえば、ブロック１３００において開始して、ＵＥは、基地局によって送信された無線フレーム内のＣＳＩ−ＲＳのリソースに基づいて１つまたは複数の干渉報告を生成し得る。さらに、ブロック１３０２において、ＵＥは、干渉報告を基地局に送信し得る。同じく、ブロック１３０４において、ＵＥは基地局からリソース割振りを受信し得、このリソース割振りは、１つまたは複数の干渉報告に基づく場合がある。さらに、ブロック１３０６において、ＵＥは、ワイヤレス通信を遂行するために割り振られたリソースを使用し得る。
【０１１０】
[00134]本開示の態様によれば、ブロック１３００において生成された１つまたは複数の干渉報告は、無認可スペクトル（たとえば、ＷＩＦＩ）干渉のないＣＳＩ−ＲＳのリソースと、無認可スペクトル（たとえば、ＷＩＦＩ）干渉を経験するＣＳＩ−ＲＳのリソースとに基づく場合がある。たとえば、報告は、ＷＩＦＩ干渉のないＣＳＩ−ＲＳのリソースに対する干渉のないＣＱＩと、ＷＩＦＩ干渉を経験するＣＳＩのリソースに対する干渉ＣＱＩとを提供する別々の報告を含み得る。代替として、報告は、ＷＩＦＩ干渉のないＣＳＩ−ＲＳのリソースとＷＩＦＩ干渉を経験するＣＳＩのリソースの両方に基づく複合報告を含み得る。そのような複合報告は、両タイプのＣＳＩ−ＲＳのリソースに対するＣＱＩを平均することによって、ＣＱＩ推定精度を犠牲にして、より少ないオーバーヘッドを要求する場合がある。
【０１１１】
[00135]図１４は、本開示の一態様による、干渉報告プロセス中に基地局によって実行される例示的なブロックを示す図を示す。たとえば、ブロック１４００において開始して、基地局は、基地局によって送信された無線フレーム内のＣＳＩ−ＲＳのリソースに基づく１つまたは複数の干渉報告を、ＵＥから受信し得る。これらの報告は、前に説明されたように、無認可スペクトル（たとえば、ＷＩＦＩ）干渉のないＣＳＩ−ＲＳのリソースと、干渉を経験するＣＳＩ−ＲＳのリソースとに対する、別々の報告または複合報告を含み得る。加えて、ブロック１４０２において、基地局は、干渉レベルを決定するために干渉報告を使用し得る。同じく、ブロック１４０４において、基地局は、決定された干渉レベルに基づいてＵＥにリソースを割り振ることができる。さらに、ブロック１４０６において、基地局は、リソース割振りをＵＥに通信し得る。
【０１１２】
[00136]図１５は、本開示の一態様による、チャンネルまたは帯域切り替え要求処理プロセス中にユーザ機器によって実行される例示的なブロックを示す図を示す。たとえば、ブロック１５００において、ＵＥは、周期的またはサブフレームごとのいずれかでＷＩＩビットと推論的ＡＣＫビットとを蓄積し得る。加えて、ブロック１５０２において、ＵＥは、ＷＩＦＩ干渉などの無認可スペクトル干渉の頻度とサブフレーム復号に対するその影響とを決定し得る。同じく、ブロック１５０４において、ＵＥは、影響の重大度が補正動作を正当化するのに十分であるかどうかを決定し得る。図７および図８を参照して前に説明されたように、ブロック１５００〜１５０４において、ＵＥは、基地局によって遂行された動作と同じまたは類似の動作のいずれかまたはすべてを遂行することができることが想定される。
【０１１３】
[00137]ブロック１５０６におけるブロックにおいて、基地局は、基地局からの補正動作を要求し得る。たとえば、ＵＥは、現在のチャンネルまたは帯域を変更するための要求を示すために、ＣＳＩ報告内に与えられる切り替えインジケータ（ＳＷＩ）ビットをセットすることができる。ＵＥは、無認可スペクトルチャンネルを用いる異なるＬＴＥ／ＬＴＥ−Ａに、または認可帯域に切り替えることを要求し得ることが想定される。次いで、ブロック１５０８において、ＵＥは、基地局にこのＣＳＩ報告を送信し、前に説明された任意の方法で、基地局が補正動作を取ることを可能にすることができる。たとえば、基地局は、ＵＥを異なるチャンネルまたは帯域に切り替えることを試みる前に、ＭＣＳを引き下げることを試みることができることが想定される。
【０１１４】
[00138]いくつかの態様では、基地局は、ＵＥを切り替える前に、候補のチャンネルまたは帯域におけるチャンネル条件をＵＥに質問し得、ＵＥは、そのような手順において協力するための動作を遂行し得ることが想定される。いくつかの態様では、基地局は、単に、ＭＣＳを異なるチャンネルまたは帯域上に割り振るために、この情報を要望する場合がある。他の態様では、基地局は、報告されたチャンネル条件に基づいて、異なるチャンネルまたは帯域へのＵＥの切り替えを調整することができる。たとえば、ブロック１５１０において、ＵＥは、基地局がチャンネル条件情報を要望する、候補のチャンネルまたは帯域を指定する基地局から、チャンネル状態条件報告要求を受信し得る。加えて、ブロック１５１２において、ＵＥは、基地局から受信された要求において指定された候補のチャンネルまたは帯域におけるチャンネル条件を決定するための動作を遂行し得る。同じく、ブロック１５１４において、ＵＥは、候補のチャンネルまたは帯域に対するチャンネル状態条件報告を基地局に送信し得る。さらに、ブロック１５１６において、ＵＥは、候補のチャンネルまたは帯域など、異なるチャンネルまたは帯域に変更するためのコマンドが、基地局から受信されるかどうかを決定し得る。ブロック１５１６において、ＵＥが、そのようなコマンドが受信されないと決定する場合、処理は、ブロック１５１０など、そのプロセス内の以前の点に戻り得、そこにおいて、ＵＥは、異なる候補のチャンネルまたは帯域を指定する新しいチャンネル状態条件報告要求を、基地局から受信し得る。場合によっては、ブロック１５１６において、ＵＥが、異なるチャンネルまたは帯域に切り替えるためのコマンドが基地局から受信されていると決定する場合、ブロック１５１８において、ＵＥは、コマンドによって指定された、異なるチャンネルまたは帯域に切り替わることができる。その後、ブロック１５２０において、ＵＥは、異なるチャンネルまたは帯域を介してワイヤレス通信を実行し得る。
【０１１５】
[00139]図１６は、本開示の一態様による、チャンネルまたは帯域切り替え要求処理プロセス中に基地局によって実行される例示的なブロックを示す図を示す。たとえば、ブロック１６００において開始して、基地局は、ＬＴＥ／ＬＴＥ−Ａ無認可スペクトルチャンネルなど、現在のチャンネルまたは帯域を介してＵＥとワイヤレス通信を実行し得る。加えて、ブロック１６０２において、基地局は、ＵＥからＣＳＩ報告を受信し得る。同じく、ブロック１６０４において、基地局は、ＵＥを異なるチャンネルまたは帯域に切り替えることによるなどの補正動作を取るための要求を、基地局に示すために、ＣＳＩ報告の中の１つまたは複数のＳＷＩビットがセットされているかどうかを決定し得る。要求は、ＬＴＥ／ＬＴＥ−Ａ無認可スペクトルチャンネルから別のＬＴＥ／ＬＴＥ−Ａ無認可スペクトルチャンネルに切り替えるための要求であってよいことが想定される。代替または追加として、要求は、ＬＴＥ／ＬＴＥ−Ａ無認可スペクトルチャンネルから認可帯域に切り替えるための要求であってよいことが想定される。ブロック１６０６において、基地局が、ＣＳＩ報告の中でそのような要求がなされていないと決定する場合、ブロック１６０８において、基地局は、ＣＳＩ報告のコンテンツに基づいて必要に応じてＭＣＳを調整し得る。処理は、ブロック１６０８から、ブロック１６００など、そのプロセス内の以前の点に戻ることができる。しかしながら、ブロック１６０６において、基地局が、ＣＳＩ報告がそのような要求を含むと決定する場合、基地局は、補正動作を取ることを試みることができる。
【０１１６】
[00140]いくつかの態様では、基地局は、図７および図８に関して前に説明された手順のザのいずれかまたはすべてに従って補正動作を取ることを試みることができることが想定される。たとえば、基地局は、ＵＥを異なるチャンネルまたは帯域に切り替えることの代替として、ＭＣＳを引き下げる場合があることが想定される。基地局は、ＵＥを異なるチャンネルまたは帯域に切り替える前に、ブロック１６１０において、候補のチャンネルまたは帯域を選択し、ブロック１６１２において、候補のチャンネルまたは帯域に関する報告を要求するチャンネル状態条件報告要求を、ＵＥに送信することができることがさらに想定される。加えて、ブロック１６１４において、そのようなチャンネル状態条件報告をＵＥから受信すると、ブロック１６１６において、基地局は、候補のチャンネルまたは帯域に対するチャンネル条件が容認可能であるかどうかを決定し得る。ブロック１６１６において、基地局が、チャンネル条件が容認可能であると決定する場合、ブロック１６１８において、基地局は、候補のチャンネルまたは帯域を切り替えるためのコマンドをＵＥに送信し得る。ブロック１６２０において、基地局はまた、ＵＥとワイヤレス通信を実行するために、候補のチャンネルまたは帯域を現在のチャンネルまたは帯域として示すことができる。加えて、ブロック１６２０は、ブロック１６１４において受信された報告のコンテンツに基づいて、リソースをＭＣＳとともに、異なるチャンネルまたは帯域上のＵＥに割り振ることを伴う場合がある。
【０１１７】
[00141]図１７は、本開示の一態様による、ＲＡＴ間チャンネル状態情報報告プロセスを遂行する基地局とユーザ機器とを示す図を示す。たとえば、ｅＮＢスケジューラ１７０２に応答する基地局１７００は、無認可スペクトル送信機（ＴＸ）メディアアクセス制御（ＭＡＣ）レイヤ１７０４と、ＷＩＦＩ受信機（ＲＸ）ＭＡＣレイヤ１７０６などの無認可スペクトル受信機ＭＡＣレイヤと、ＨＡＲＱプロセス１７０８とを用いるＬＴＥ／ＬＴＥ−Ａを実装し得る。加えて、ＵＥ１７１０は、無認可スペクトルＲＸ  ＭＡＣレイヤ１７１２と、ＷＩＦＩ  ＴＸ  ＭＡＣレイヤ１７１４などの無認可スペクトルＴＸ  ＭＡＣレイヤと、アグリゲーションプロセス１７１６とを用いるＬＴＥ／ＬＴＥ−Ａを実装し得る。基地局１７００は、ＬＴＥ／ＬＴＥ−Ａ無認可スペクトル帯域と呼ばれる場合がある第１の帯域上で、無認可スペクトルＴＸ物理（ＰＨＹ）レイヤ１７１８を用いるＬＴＥ／ＬＴＥ−Ａと、無認可スペクトルＲＸ  ＰＨＹレイヤ１７２０を用いるＬＴＥ／ＬＴＥ−Ａとを介して、メッセージをＵＥ１７１０に送信し得る。アグリゲーションプロセス１７１６は、ＷＩＦＩ帯域と呼ばれる場合がある第２の帯域上で、ＷＩＦＩ  ＴＸ  ＰＨＹレイヤ１７２４などの無認可スペクトルＴＸ  ＰＨＹレイヤとＷＩＦＩ  ＲＸ  ＰＨＹレイヤ１７２２などの無認可スペクトルＲＸ  ＰＨＹレイヤとを介してメッセージを基地局１７００に送信するために、上位レイヤからのデータおよびスケジューリング要求に応答すること、ならびに無認可スペクトルＲＸ  ＭＡＣレイヤ１７１２を用いるＬＴＥ／ＬＴＥ−ＡからのＣＱＩ、ランクインジケータ（ＲＩ）、プリコーディング行列インジケータ（ＰＭＩ）およびＡＣＫデータに応答することができる。本明細書で説明される態様によれば、ＵＥ１７１０は、第１の帯域に対するＡＣＫ／ＮＡＫおよびＣＳＩ報告を、第２の帯域上で基地局１７００に送信し得る。次に、基地局１７００のＨＡＲＱプロセス１７０８は、第１の帯域上での再送信を管理するために第２の帯域上で受信されたＡＣＫ／ＮＡＫに応答することができ、基地局１７００は、前に説明されたように、第１の帯域上のＵＥ１７１０にリソースを割り振ること、第１の帯域上のＵＥ１７１０に対するＭＣＳを調整すること、および／またはＵＥを異なるチャンネルまたは帯域に切り替えることを行うために、第２の帯域上で受信されたＣＳＩ報告に応答することができる。図１８および図１９に関して以下でより詳細に説明されるように、ＵＥ１７１０は、第１の帯域上の制御容量は過負荷であるとの決定に応答して、ＣＳＩ報告を第２の帯域上で送信し得ることが想定される。
【０１１８】
[00142]図１８は、本開示の一態様による、ＲＡＴ間チャンネル状態情報報告プロセス中にユーザ機器によって実行される例示的なブロックを示す図を示す。たとえば、ブロック１８００において開始して、ＵＥは、ＬＴＥ／ＬＴＥ−Ａ無認可スペクトル帯域であってよい第１の帯域上で、基地局とワイヤレス通信を実行し得る。加えて、ブロック１８０２において、ＵＥは、第１の帯域上の制御容量負荷を決定し、ブロック１８０４において、第１の帯域上の制御容量が過負荷であるかどうかを決定することができる。ブロック１８０４において、ＵＥが、第１の帯域上の制御容量が過負荷でないと決定する場合、ＵＥは、第１の帯域上でＣＳＩ報告を送信し得る。そうではなく、ブロック１８０４において、ＵＥが、第１の帯域上の制御容量が過負荷であると決定する場合、ＵＥは、ＣＳＩ報告を基地局に送信するために、無認可帯域（たとえば、ＷＩＦＩ帯域）であってよい第２の帯域を使用し得る。第１の帯域が、ＬＴＥ／ＬＴＥ−Ａ無認可スペクトル帯域であるとき、および第２の帯域がＷＩＦＩ帯域であるとき、第１の帯域および第２の帯域の無線アクセス技術（ＲＡＴ）は、互いに異なるものであることを諒解されたい。当業者には容易に明らかになるように、互いに異なる他のＲＡＴもまた使用され得ることも想定される。
【０１１９】
[00143]図１９は、本開示の一態様による、ＲＡＴ間チャンネル状態情報報告プロセス中に基地局によって実行される例示的なブロックを示す図を示す。たとえば、ブロック１９００において開始して、基地局は、ＬＴＥ／ＬＴＥ−Ａ無認可スペクトル帯域であってよい第１の帯域上で、ＵＥとワイヤレス通信を実行し得る。加えて、ブロック１９０２において、基地局は、無認可帯域（たとえば、ＷＩＦＩ帯域）であってよい第２の帯域上で、ＵＥからＣＳＩ報告を受信し得る。同じく、ブロック１９０４において基地局は、第２の帯域上でＵＥから受信されたＣＳＩ報告に基づいて、第１の帯域上のＵＥとの通信を調整し得る。たとえば、ブロック１９０４において、基地局は、前に説明されたように、ＵＥに対してリソースを割り振ること、ＵＥに対するＭＣＳを調整すること、および／またはＵＥを異なるチャンネルまたは帯域に切り替えることを行い得ることが想定される。第１の帯域が、ＬＴＥ／ＬＴＥ−Ａ無認可スペクトル帯域であるとき、および第２の帯域がＷＩＦＩ帯域であるとき、第１の帯域および第２の帯域のＲＡＴは、互いに異なるものであることを諒解されたい。当業者には容易に明らかになるように、互いに異なる他のＲＡＴもまた使用され得ることも想定される。
【０１２０】
[00144]様々な異なる技術および技法のいずれかを使用して情報および信号が表現され得ることを当業者なら理解されよう。たとえば、上記の説明全体にわたって参照され得るデータ、命令、コマンド、情報、信号、ビット、シンボル、およびチップは、電圧、電流、電磁波、磁場または粒子、光場または光粒子、あるいはそれらの任意の組合せによって表現され得る。
【０１２１】
[00145]図６〜図９、図１１〜図１６、図１８および図１９の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１２２】
[00146]本明細書で本開示に関連して説明した様々な例示的論理ブロック、モジュール、回路、およびアルゴリズムステップが、電子ハードウェア、コンピュータソフトウェア、または両方の組合せとして実装され得ることを当業者ならさらに理解されよう。ハードウェアとソフトウェアのこの互換性を明確に示すために、様々な例示的な構成要素、ブロック、モジュール、回路、およびステップが、概してそれらの機能に関して上記で説明されている。そのような機能性が、ハードウェアまたはソフトウェアのどちらとして実施されるのかは、特定の応用例と、システム全体に課せられる設計制約とに依存する。当業者は、説明された機能性を、特定の応用例ごとに様々な形で実施することができるが、そのような実施決定が、本開示の範囲からの逸脱を引き起こすと解釈されてはならない。当業者はまた、本明細書で説明した構成要素、方法、または相互作用の順序あるいは組合せは例にすぎないこと、および本開示の様々な態様の構成要素、方法、または相互作用は、本明細書で例示し、説明したもの以外の方法で組み合わせられるかまたは実行され得ることを容易に認識されよう。
【０１２３】
[00147]本明細書で開示する実施形態に関連して説明される様々な例示的論理ブロック、モジュール、および回路は、本明細書で説明する機能を実施するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェア構成要素、あるいはそれらの任意の組合せとともに実装または実施され得る。汎用プロセッサはマイクロプロセッサであり得るが、代替として、プロセッサは、任意の従来のプロセッサ、コントローラ、マイクロコントローラ、または状態機械であり得る。プロセッサはまた、計算デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１２４】
[00148]本明細書で開示される実施形態に関連して説明される方法またはアルゴリズムのステップは、ハードウェアで直接的に、プロセッサによって実行されるソフトウェアモジュールで、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、取外し可能ディスク、ＣＤ−ＲＯＭ、または当技術分野で周知の任意の他の形態の記憶媒体内に存在し得る。例示的記憶媒体は、プロセッサが記憶媒体から情報を読み取り、記憶媒体に情報を書き込むことができるようにプロセッサに結合される。代替として、記憶媒体はプロセッサと一体であり得る。プロセッサおよび記憶媒体はＡＳＩＣ内に存在し得る。ＡＳＩＣはユーザ端末中に存在し得る。代替実施形態では、プロセッサおよび記憶媒体は、ユーザ端末内に別個の構成要素として存在し得る。
【０１２５】
[00149]１つまたは複数の例示的設計では、説明される機能は、ハードウェア、ソフトウェア、ファームウェア、またはそれらの任意の組合せで実装され得る。ソフトウェアで実装される場合、機能は、１つまたは複数の命令またはコードとして、非一時的コンピュータ可読媒体上に記憶されるか、または非一時的コンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ディスク（disk）は、通常、データを磁気的に再生し、ディスク（disc）は、データをレーザーで光学的に再生する。上述の組合せもコンピュータ可読媒体の範囲内に含まれるべきである。
【０１２６】
[00150]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１２７】
[00151]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願の出願当初の特許請求の範囲に記載された発明を付記する。
［Ｃ１］
ワイヤレス通信の方法であって、
サブフレームにわたるか、
サブフレーム内のスロットの間か、または
各リソースブロック内の異なるシンボルおよびトーンにわたるかのうちの少なくとも１つにおいて、チャンネル状態情報基準信号（ＣＳＩ−ＲＳ）のリソースまたは干渉測定リソース（ＩＭＲ）のリソースの少なくとも一方を、基地局によって無線フレーム内でスタガリングすることと、
ユーザ機器（ＵＥ）に前記無線フレームを前記基地局によって送信することとを備える、方法。
［Ｃ２］
チャンネル状態報告形の前記ＵＥを前記基地局によって受信することをさらに含み、前記チャンネル状態報告が、前記スタガリングされたＣＳＩ−ＲＳまたはＩＭＲのリソースの少なくとも一方に基づく、Ｃ１に記載の方法。
［Ｃ３］
前記受信されたチャンネル状態報告に基づいて前記ＵＥによる使用のための１つまたは複数のリソースを決定することをさらに含む、Ｃ２に記載の方法。
［Ｃ４］
リソーススタガリングパターンと、
ＩＭＲリソース構成と、
ヌルトーン構成とのうちの少なくとも１つを他の基地局に前記基地局によって示すことをさらに含む、Ｃ１に記載の方法。
［Ｃ５］
サブフレームにわたるか、
サブフレーム内のスロットの間か、または
各リソースブロック内の異なるシンボルおよびトーンにわたるかのうちの少なくとも１つにおいて、チャンネル状態情報基準信号（ＣＳＩ−ＲＳ）のリソースまたは干渉測定リソース（ＩＭＲ）のリソースの少なくとも一方を、基地局によって無線フレーム内でスタガリングするための手段と、
ユーザ機器（ＵＥ）に前記無線フレームを前記基地局によって送信するための手段とを備える、ワイヤレス通信装置。
［Ｃ６］
チャンネル状態報告形の前記ＵＥを前記基地局によって受信するための手段をさらに含み、前記チャンネル状態報告が、前記スタガリングされたＣＳＩ−ＲＳまたはＩＭＲのリソースの少なくとも一方に基づく、Ｃ５に記載の装置。
［Ｃ７］
前記受信されたチャンネル状態報告に基づいて前記ＵＥによる使用のための１つまたは複数のリソースを決定するための手段をさらに含む、Ｃ６に記載の装置。
［Ｃ８］
リソーススタガリングパターンと、
ＩＭＲリソース構成と、
ヌルトーン構成とのうちの少なくとも１つを他の基地局に前記基地局によって示すための手段をさらに含む、Ｃ５に記載の装置。
［Ｃ９］
プログラムコードを記録した非一時的コンピュータ可読媒体であって、
サブフレームにわたるか、
サブフレーム内のスロットの間か、または
各リソースブロック内の異なるシンボルおよびトーンにわたるかのうちの少なくとも１つにおいて、チャンネル状態情報基準信号（ＣＳＩ−ＲＳ）のリソースまたは干渉測定リソース（ＩＭＲ）のリソースの少なくとも一方を、基地局によって無線フレーム内でスタガリングすることを、１つまたは複数のコンピュータに行わせるためのコードと、
ユーザ機器（ＵＥ）に前記無線フレームを前記基地局によって送信することを、前記１つまたは複数のコンピュータに行わせるためのコードとを備える、非一時的コンピュータ可読媒体。
［Ｃ１０］
チャンネル状態報告形の前記ＵＥを前記基地局によって受信することを、前記１つまたは複数のコンピュータに行わせるためのコードをさらに含み、前記チャンネル状態報告が、前記スタガリングされたＣＳＩ−ＲＳまたはＩＭＲのリソースの少なくとも一方に基づく、Ｃ９に記載の非一時的コンピュータ可読媒体。
［Ｃ１１］
前記受信されたチャンネル状態報告に基づいて前記ＵＥによる使用のための１つまたは複数のリソースを、前記１つまたは複数のコンピュータに決定させるためのコードをさらに含む、Ｃ１０に記載の非一時的コンピュータ可読媒体。
［Ｃ１２］
リソーススタガリングパターンと、
ＩＭＲリソース構成と、
ヌルトーン構成とのうちの少なくとも１つを他の基地局に、前記基地局によって示すことを、前記１つまたは複数のコンピュータに行わせるためのコードをさらに含む、Ｃ９に記載の非一時的コンピュータ可読媒体。
［Ｃ１３］
ワイヤレス通信の方法であって、
基地局からの無線フレームをユーザ機器（ＵＥ）によって受信することと、ここにおいて、前記無線フレームが、
サブフレームにわたるか、
サブフレーム内のスロットの間か、または
異なるリソースブロックに対するスロットにわたる複数のシンボルの中の少なくとも１つにおいてスタガリングされたチャンネル状態情報基準信号（ＣＳＩ−ＲＳ）または干渉測定リソース（ＩＭＲ）のリソースの少なくとも一方を有する、
前記スタガリングされたＣＳＩ−ＲＳまたはＩＭＲのリソースの少なくとも一方に基づいてチャンネル推定または干渉推定の少なくとも一方を前記ＵＥによって実行することとを備える、方法。
［Ｃ１４］
チャンネル推定または干渉推定の少なくとも一方に基づいてチャンネル状態報告を前記ＵＥによって生成することをさらに含む、Ｃ１３に記載の方法。
［Ｃ１５］
前記基地局に前記チャンネル状態報告を前記ＵＥによって送信することをさらに含む、Ｃ１４に記載の方法。
【図１】
0006486931.tif 000002
【図２Ａ】
0006486931.tif 000003
【図２Ｂ】
0006486931.tif 000004
【図３】
0006486931.tif 000005
【図４】
0006486931.tif 000006
【図５Ａ】
0006486931.tif 000007
【図５Ｂ】
0006486931.tif 000008
【図５Ｃ】
0006486931.tif 000009
【図５Ｄ】
0006486931.tif 000010
【図５Ｅ】
0006486931.tif 000011
【図５Ｆ】
0006486931.tif 000012
【図６】
0006486931.tif 000013
【図７】
0006486931.tif 000014
【図８】
0006486931.tif 000015
【図９】
0006486931.tif 000016
【図１０】
0006486931.tif 000017
【図１１】
0006486931.tif 000018
【図１２】
0006486931.tif 000019
【図１３】
0006486931.tif 000020
【図１４】
0006486931.tif 000021
【図１５】
0006486931.tif 000022
【図１６】
0006486931.tif 000023
【図１７】
0006486931.tif 000024
【図１８】
0006486931.tif 000025
【図１９】
0006486931.tif 000026